(57)【特許請求の範囲】
【請求項１】
第１の通信デバイスによって実行されるサービスフィードバック方法であって、
第１のサブフレーム内の第１の時間−周波数リソース上で第２の通信デバイスによって送られた第１のサービスを受信するステップであって、前記第１の時間−周波数リソースは、前記第１のサブフレーム内の物理制御チャネルリソース、前記第１のサブフレーム内の物理共有チャネルリソース、またはフィードバックリソースのうちの少なくとも１つを含む、ステップと、
あらかじめ設定されたフィードバックサブフレームロケーションにおいて、前記第１のサービスに対応する第１のフィードバック情報を送るステップであって、前記第１のサブフレームと前記フィードバックサブフレームロケーションに対応するフィードバックサブフレームとの間の間隔が第１のタイミングであり、前記第２の通信デバイスによって第２のサービスを送るために使用される第２の時間−周波数リソースに対応するサブフレームと前記第１の通信デバイスによって第２のフィードバック情報を前記第２の通信デバイスに送るために使用される第３の時間−周波数リソースに対応するサブフレームとの間の間隔が第２のタイミングであり、前記第１のタイミングは前記第２のタイミングよりも短く、前記あらかじめ設定されたフィードバックサブフレームロケーションは、前記第１のサービスのタイプ、前記第１のサービスのサイズ、および第１のマッピング関係に応じて決定され、前記第１のマッピング関係は前記第１の時間−周波数リソースと前記第１のタイミングとの間の対応を含み、前記第２の通信デバイスにより示される、ステップと
を含む方法。
【請求項２】
前記第１のタイミングは２つのサブフレームの長さよりも短い請求項１に記載の方法。
【請求項３】
前記物理制御チャネルリソースは、前記第１のサブフレーム内の物理ダウンリンク制御チャネルリソースと物理アップリンク制御チャネルリソースとを含み；前記物理共有チャネルリソースは、前記第１のサブフレーム内の物理ダウンリンク共有チャネルリソースと物理アップリンク共有チャネルリソースとを含み；前記フィードバックリソースは、前記第１のサブフレーム内にありフィードバック情報を送信するために使用される時間−周波数リソースを含む請求項１または２に記載の方法。
【請求項４】
前記第１の通信デバイスはユーザ機器であり、前記第２の通信デバイスは基地局であり；前記第１の時間−周波数リソースは前記第１のサブフレーム内の物理ダウンリンク制御チャネルリソースであり、前記第２の時間−周波数リソースは前記第１のサブフレーム内の物理ダウンリンク共有チャネルリソースであり；または、前記第１の時間−周波数リソースは物理ダウンリンク共有チャネルリソースの一部分であり、前記第２の時間−周波数リソースは前記物理ダウンリンク共有チャネルリソースの残りの部分であり；または、前記第１の時間−周波数リソースは物理ダウンリンク制御チャネルリソースの一部分および物理ダウンリンク共有チャネルリソースの一部分であり、前記第２の時間−周波数リソースは前記物理ダウンリンク共有チャネルリソースの残りの部分であり；
第１のサブフレーム内の第１の時間−周波数リソース上で第２の通信デバイスによって送られた第１のサービスを受信する前記ステップの前に、前記方法は、
前記第２の通信デバイスによって送られた第１のインジケーション情報を受信するステップであって、前記第１のインジケーション情報は、前記第１のサブフレームが前記第１のサービスを含むことを前記第１の通信デバイスに示すために使用される、ステップ
をさらに含む請求項１から３のいずれか一項に記載の方法。
【請求項５】
前記第１の通信デバイスはユーザ機器であり、前記第２の通信デバイスは基地局であり、前記第１のサブフレームはタイプ１サブフレームであり；第１のサブフレーム内の第１の時間−周波数リソース上で第２の通信デバイスによって送られた第１のサービスを受信する前記ステップの前に、前記方法は、
前記第２の通信デバイスによって送られた第２のインジケーション情報を受信するステップであって、前記第２のインジケーション情報は、前記第１のサブフレームが前記第１のサービスを含むことを前記第１の通信デバイスに示すために、および物理ダウンリンク共有チャネルリソースの一部分上で前記第１のサービスを受信するように前記第１の通信デバイスに指示するために使用される、ステップ
をさらに含む請求項１から３のいずれか一項に記載の方法。
【請求項６】
前記フィードバックサブフレームロケーションは、前記第１のサブフレーム内の、フィードバック情報を送信するために使用される時間−周波数リソースのロケーションである請求項５に記載の方法。
【請求項７】
前記第１の通信デバイスはユーザ機器であり、前記第２の通信デバイスは基地局であり、前記第１のサブフレームはタイプ２サブフレームであり、前記第１の時間−周波数リソースは、前記第１のサブフレーム内にありフィードバック情報を送信するために使用される時間−周波数リソースであり；第１のサブフレーム内の第１の時間−周波数リソース上で第２の通信デバイスによって送られた第１のサービスを受信する前記ステップの前に、前記方法は、
前記第２の通信デバイスによって送られた第３のインジケーション情報を受信するステップであって、前記第３のインジケーション情報は、前記第１のサブフレームが前記第１のサービスを含むことを前記第１の通信デバイスに示すために、および前記第１のサブフレーム内にありフィードバック情報を送信するために使用される前記時間−周波数リソース上で前記第１のサービスを受信するように前記第１の通信デバイスに指示するために使用される、ステップ
をさらに含む請求項１から３のいずれか一項に記載の方法。
【請求項８】
前記フィードバックサブフレームロケーションは、前記第１のサブフレーム内の、物理アップリンク共有チャネルリソースのロケーションである請求項７に記載の方法。
【請求項９】
前記第１の通信デバイスは基地局であり、前記第２の通信デバイスはユーザ機器であり、前記第１のサブフレームはタイプ１サブフレームであり；第１のサブフレーム内の第１の時間−周波数リソース上で第２の通信デバイスによって送られた第１のサービスを受信する前記ステップの前に、前記方法は、
第５のインジケーション情報を前記第２の通信デバイスに送るステップであって、前記第５のインジケーション情報は、前記第１の時間−周波数リソースが、前記第１のサブフレーム内にありフィードバック情報を送信するために使用される時間−周波数リソースであることを前記第２の通信デバイスに示すために使用される、ステップ
をさらに含む請求項１から３のいずれか一項に記載の方法。
【請求項１０】
第２の通信デバイスによって実行されるサービスフィードバック方法であって、
第１のサービスを第１のサブフレーム内の第１の時間−周波数リソース上で第１の通信デバイスに送るステップであって、前記第１の時間−周波数リソースは、前記第１のサブフレーム内の物理制御チャネルリソース、前記第１のサブフレーム内の物理共有チャネルリソース、またはフィードバックリソースのうちの少なくとも１つを含む、ステップと、
前記第１の通信デバイスから、あらかじめ設定されたフィードバックサブフレームロケーションにおいて、前記第１のサービスに対応する第１のフィードバック情報を受信するステップであって、前記第１のサブフレームと前記フィードバックサブフレームロケーションに対応するフィードバックサブフレームとの間の間隔が第１のタイミングであり、前記第２の通信デバイスによって第２のサービスを送るために使用される第２の時間−周波数リソースに対応するサブフレームと前記第１の通信デバイスによって第２のフィードバック情報を前記第２の通信デバイスに送るために使用される第３の時間−周波数リソースに対応するサブフレームとの間の間隔が第２のタイミングであり、前記第１のタイミングは前記第２のタイミングよりも短い、ステップと
を含み、
前記第１のサービスに対応し、あらかじめ設定されたフィードバックサブフレームロケーションにおいて前記第１の通信デバイスによって送られた第１のフィードバック情報を受信する前記ステップの前に、前記方法は、
前記第１のサービスのタイプ、前記第１のサービスのサイズ、および第１のマッピング関係に応じて、前記フィードバックサブフレームロケーションを決定するステップであって、前記第１のマッピング関係は前記第１の時間−周波数リソースと前記第１のタイミングとの間の対応を含む、ステップと、
前記第２の通信デバイスによって、前記フィードバックサブフレームロケーションを前記第１の通信デバイスに送り、前記フィードバックサブフレームロケーションにおいて前記第１のフィードバック情報を送るように前記第１の通信デバイスに指示するステップと
をさらに含む方法。
【請求項１１】
前記第１のタイミングは２つのサブフレームの長さよりも短い請求項１０に記載の方法。
【請求項１２】
前記物理制御チャネルリソースは、前記第１のサブフレーム内の物理ダウンリンク制御チャネルリソースと物理アップリンク制御チャネルリソースとを含み；前記物理共有チャネルリソースは、前記第１のサブフレーム内の物理ダウンリンク共有チャネルリソースと物理アップリンク共有チャネルリソースとを含み；前記フィードバックリソースは、前記第１のサブフレーム内にありフィードバック情報を送信するために使用される時間−周波数リソースを含む請求項１０または１１に記載の方法。
【請求項１３】
前記第１の通信デバイスはユーザ機器であり、前記第２の通信デバイスは基地局であり；前記第１の時間−周波数リソースは前記第１のサブフレーム内の物理ダウンリンク制御チャネルリソースであり、前記第２の時間−周波数リソースは前記第１のサブフレーム内の物理ダウンリンク共有チャネルリソースであり；または、前記第１の時間−周波数リソースは物理ダウンリンク共有チャネルリソースの一部分であり、前記第２の時間−周波数リソースは前記物理ダウンリンク共有チャネルリソースの残りの部分であり；または、前記第１の時間−周波数リソースは物理ダウンリンク制御チャネルリソースの一部分および物理ダウンリンク共有チャネルリソースの一部分であり、前記第２の時間−周波数リソースは前記物理ダウンリンク共有チャネルリソースの残りの部分であり；
第１のサービスを第１のサブフレーム内の第１の時間−周波数リソース上で第１の通信デバイスに送る前記ステップの前に、前記方法は、
第１のインジケーション情報を前記第１の通信デバイスに送るステップであって、前記第１のインジケーション情報は、前記第１のサブフレームが前記第１のサービスを含むことを前記第１の通信デバイスに示すために使用される、ステップ
をさらに含む請求項１０から１２のいずれか一項に記載の方法。
【請求項１４】
前記第１の通信デバイスはユーザ機器であり、前記第２の通信デバイスは基地局であり、前記第１のサブフレームはタイプ１サブフレームであり；第１のサービスを第１のサブフレーム内の第１の時間−周波数リソース上で第１の通信デバイスに送る前記ステップの前に、前記方法は、
第２のインジケーション情報を前記第１の通信デバイスに送るステップであって、前記第２のインジケーション情報は、前記第１のサブフレームが前記第１のサービスを含むことを前記第１の通信デバイスに示すために、および物理ダウンリンク共有チャネルリソースの一部分上で前記第１のサービスを受信するように前記第１の通信デバイスに指示するために使用される、ステップ
をさらに含む請求項１０から１３のいずれか一項に記載の方法。
【請求項１５】
前記フィードバックサブフレームロケーションは、前記第１のサブフレーム内の、フィードバック情報を送信するために使用される時間−周波数リソースのロケーションである請求項１４に記載の方法。
【請求項１６】
前記第１の通信デバイスはユーザ機器であり、前記第２の通信デバイスは基地局であり、前記第１のサブフレームはタイプ２サブフレームであり、前記第１の時間−周波数リソースは、前記第１のサブフレーム内にありフィードバック情報を送信するために使用される時間−周波数リソースであり；第１のサービスを第１のサブフレーム内の第１の時間−周波数リソース上で第１の通信デバイスに送る前記ステップの前に、前記方法は、
第３のインジケーション情報を前記第１の通信デバイスに送るステップであって、前記第３のインジケーション情報は、前記第１のサブフレームが前記第１のサービスを含むことを前記第１の通信デバイスに示すために、および前記第１のサブフレーム内にありフィードバック情報を送信するために使用される前記時間−周波数リソース上で前記第１のサービスを受信するように前記第１の通信デバイスに指示するために使用される、ステップ
をさらに含む請求項１０から１２のいずれか一項に記載の方法。
【請求項１７】
前記フィードバックサブフレームロケーションは、前記第１のサブフレーム内の、物理アップリンク共有チャネルリソースのロケーションである請求項１６に記載の方法。
【請求項１８】
前記第１の通信デバイスは基地局であり、前記第２の通信デバイスはユーザ機器であり、前記第１のサブフレームはタイプ１サブフレームであり；第１のサービスを第１のサブフレーム内の第１の時間−周波数リソース上で第１の通信デバイスに送る前記ステップの前に、前記方法は、
前記第１の通信デバイスによって送られた第５のインジケーション情報を受信するステップであって、前記第５のインジケーション情報は、前記第１の時間−周波数リソースが、前記第１のサブフレーム内にありフィードバック情報を送信するために使用される時間−周波数リソースであることを前記第２の通信デバイスに示すために使用される、ステップ
をさらに含む請求項１０から１２のいずれか一項に記載の方法。
【請求項１９】
その上に記録されたプログラムを有するコンピュータ可読記憶媒体であって、前記プログラムは、請求項１から１８のいずれか一項の方法をコンピュータに実行させる、コンピュータ可読記憶媒体。
【請求項２０】
請求項１から１８のいずれか一項に従う方法のステップを実行するように構成された装置。
【発明の詳細な説明】
【技術分野】
【０００１】
本発明は、通信技術に関し、より詳細には、サービスフィードバック方法および通信デバイスに関する。
【背景技術】
【０００２】
既存のロングタームエボリューション（Ｌｏｎｇ  Ｔｅｒｍ  Ｅｖｏｌｕｔｉｏｎ、略してＬＴＥ）システムでは、基地局が、時分割複信（Ｔｉｍｅ  Ｄｉｖｉｓｉｏｎ  Ｄｕｐｌｅｘ、略してＴＤＤ）システムを使用することによってワイヤレスデバイスをスケジューリングして、すべてのスペクトルリソースを共有する。既存のＴＤＤシステムでは、物理層の送信信頼性は、ハイブリッド自動再送要求（Ｈｙｂｒｉｄ  Ａｕｔｏｍａｔｉｃ  Ｒｅｐｅａｔ  Ｒｅｑｕｅｓｔ、略してＨＡＲＱ）機構を使用することによって改善され、時間次元におけるＨＡＲＱの送信時間シーケンスは、ＨＡＲＱタイミングと呼ばれる。図１に示されるダウンリンクＨＡＲＱタイミングの概略図（Ｄはダウンリンクサブフレームを示し、Ｓはスペシャルサブフレームを示し、Ｕはアップリンクサブフレームを示す）では、ＴＤＤシステム内の基地局は、ダウンリンク送信サブフレーム０においてユーザ機器（Ｕｓｅｒ  Ｅｑｕｉｐｍｅｎｔ、略してＵＥ）に対するダウンリンクデータを送信し、ＵＥは、サブフレーム０においてダウンリンクデータを受信する。次いで、ＵＥは、データ処理時間の固定期間（処理時間は少なくとも４つのサブフレームを占める）内にダウンリンクデータを処理し、フィードバック情報をアップリンクサブフレーム７において基地局に送る。フィードバック情報は、肯定応答（Ａｃｋｎｏｗｌｅｄｇｅｍｅｎｔ、略してＡＣＫ）情報であってもよく、否定応答（Ｎｅｇａｔｉｖｅ  Ａｃｋｎｏｗｌｅｄｇｅｍｅｎｔ、略してＮＡＣＫ）情報であってもよい。基地局は、フィードバック情報により、データパケットの再送信およびＵＥに対する新しいデータパケットの送出をスケジューリングするべきかどうかを決定する。基地局が、ダウンリンクサブフレーム３においてダウンリンクデータを送り、ＵＥがまたサブフレーム７においてフィードバック情報を送る場合、ＵＥのデータ処理時間は、４つのサブフレームを占める。そのため、図１におけるダウンリンクＨＡＲＱタイミングは、フィードバック情報が送られるサブフレームのロケーションをＵＥに示すと理解されてよい。
【０００３】
別の例の場合、図２に示されるアップリンクＨＡＲＱタイミングの概略図を参照すると、ＵＥが、ダウンリンクサブフレーム３において基地局によって送られたアップリンクスケジューリング情報（ＵＬグラント）を受信する場合、ＵＥは、アップリンクスケジューリング情報によって指定されたアップリンク時間−周波数リソース（アップリンクサブフレーム７）上でアップリンクデータを送信する。送信されたアップリンクデータを受信した後、基地局は、４つのサブフレームに続く最も近いダウンリンク送信リソースロケーション（すなわち、次の無線フレームのスペシャルサブフレーム１）において、フィードバック情報をＵＥに送信する。そのため、図２におけるアップリンクＨＡＲＱタイミングは、フィードバック情報が送られるサブフレームのロケーションを基地局に示すと理解されてよい。すなわち、アップリンクＨＡＲＱタイミングとダウンリンクＨＡＲＱタイミングの両方におけるＨＡＲＱタイミングは、フィードバック情報のサブフレームのロケーションをデータ受信デバイスに示すことができ、したがって、データ受信デバイスは、フィードバック情報をデータ送出デバイスに適時に送り得る。
【０００４】
しかしながら、従来技術によるサービスフィードバック方法では、サービスデータを送ることからフィードバックまでの期間が過度に長く、短待ち時間サービスの短待ち時間要件は満たされ得ない。
【発明の概要】
【０００５】
本発明は、サービスフィードバック方法および通信デバイスを提供して、従来技術によるサービスフィードバック方法では、サービスデータを送ることからフィードバックまでの期間が過度に長く、短待ち時間サービスの短待ち時間要件が満たされ得ないという技術的問題を解決する。
【０００６】
第１の態様によれば、本発明は、
第１の通信デバイスによって、第１のサブフレーム内の第１の時間−周波数リソース上で第２の通信デバイスによって送られた第１のサービスを受信するステップであって、第１の時間−周波数リソースは、第１のサブフレーム内の物理制御チャネルリソース、第１のサブフレーム内の物理共有チャネルリソース、またはフィードバックリソースのうちの少なくとも１つを含む、受信するステップと、
あらかじめ設定されたフィードバックサブフレームロケーションにおいて第１の通信デバイスによって、第１のサービスに対応する第１のフィードバック情報を送るステップであって、第１のサブフレーム内の第１の時間−周波数リソースに対応するサブフレームロケーションとフィードバックサブフレームロケーションとの間の間隔が第１のタイミングであり、第２の通信デバイスによって第２のサービスを送るために使用される第２の時間−周波数リソースに対応するサブフレームロケーションと第１の通信デバイスによって第２のフィードバック情報を第２の通信デバイスに送るために使用される第３の時間−周波数リソースに対応するサブフレームロケーションとの間の間隔が第２のタイミングであり、第１のタイミングは第２のタイミングよりも短い、送るステップと
を含むサービスフィードバック方法を提供する。
【０００７】
第１の態様において提供されるサービスフィードバック方法によれば、第２の通信デバイスは、第１のサービスを第１の時間−周波数リソース上で第１の通信デバイスに送り、したがって、第１の通信デバイスは、第１のサービスを受信した後、第１のサービスを処理するのに十分な時間を有する。第１のサブフレーム内の時間−周波数リソースが再度割り振られ、第１の通信デバイスは、第１のサービスを送ることと第１のサービスに対応する第１のフィードバック情報を受信することとの間の待ち時間（すなわち、第１のタイミング）が、第２のサービスを送ることと第２のサービスに対応する第２のフィードバック情報を受信することとの間の待ち時間（すなわち、第２のタイミング）よりも短い、すなわち、従来のサービスのフィードバック待ち時間よりも短いことを確実にするように、あらかじめ設定されたフィードバックサブフレームロケーションにおいて第１のフィードバック情報を第２の通信デバイスに送ってよい。そのため、本発明の実施形態において提供されるサービスフィードバック方法により、データを送ることから短待ち時間サービスのフィードバックまでの期間が短縮され、短待ち時間サービスの短待ち時間要件が満たされる。
【０００８】
第１の態様の第１の可能な実装形態では、あらかじめ設定されたフィードバックサブフレームロケーションにおいて第１の通信デバイスによって、第１のサービスに対応する第１のフィードバック情報を送るステップの前に、方法は、
第１の通信デバイスによって、第１のサービスのタイプ、第１のサービスのサイズ、および第１のマッピング関係により、フィードバックサブフレームロケーションを決定するステップであって、第１のマッピング関係は第１の時間−周波数リソースと第１のタイミングとの間の対応を含む、決定するステップ
をさらに含む。
【０００９】
第１の態様の第２の可能な実装形態では、あらかじめ設定されたフィードバックサブフレームロケーションにおいて第１の通信デバイスによって、第１のサービスに対応する第１のフィードバック情報を送るステップの前に、方法は、
第１の通信デバイスによって、第１のサービスのタイプ、第１のサービスのサイズ、および第１のマッピング関係により、第２の通信デバイスによって決定されたフィードバックサブフレームロケーションを受信することであって、第１のマッピング関係は第１の時間−周波数リソースと第１のタイミングとの間の対応を含む、受信するステップ
をさらに含む。
【００１０】
任意選択で、第１の態様の第３の可能な実装形態では、第１の通信デバイスはユーザ機器ＵＥであり、第２の通信デバイスは基地局であり；第１の時間−周波数リソースは第１のサブフレーム内の物理ダウンリンク制御チャネルリソースであり、第２の時間−周波数リソースは第１のサブフレーム内の物理ダウンリンク共有チャネルリソースであり；または、第１の時間−周波数リソースは物理ダウンリンク共有チャネルリソースの一部分であり、第２の時間−周波数リソースは物理ダウンリンク共有チャネルリソースの残りの部分であり；または、第１の時間−周波数リソースは物理ダウンリンク制御チャネルリソースの一部分および物理ダウンリンク共有チャネルリソースの一部分であり、第２の時間−周波数リソースは物理ダウンリンク共有チャネルリソースの残りの部分であり；
第１の通信デバイスによって、第１のサブフレーム内の第１の時間−周波数リソース上で第２の通信デバイスによって送られた第１のサービスを受信するステップの前に、方法は、第１の通信デバイスによって、第２の通信デバイスによって送られた第１のインジケーション情報を受信するステップであって、第１のインジケーション情報は、第１のサブフレームが第１のサービスを含むことを第１の通信デバイスに示すために使用される、受信するステップをさらに含む。この可能な実装形態では、フィードバックサブフレームロケーションは、無線フレーム内の、アップリンク送信リソースを有し、第１のサブフレームに最も近く、フィードバック情報を送信することができるサブフレームである。
【００１１】
第３の可能な実装形態において提供される方法によれば、第２の通信デバイスが第１の時間−周波数リソース上で第１のサービスを送った後、第１の通信デバイスは、無線フレーム内の、アップリンク送信リソースを有し、第１のサブフレームに最も近く、フィードバック情報を送信することができるサブフレーム上で第１のフィードバック情報を送ってよく、したがって、第１のタイミングは第２のタイミングよりも短く、第１のサービスのフィードバック待ち時間は大幅に短縮される。
【００１２】
任意選択で、第１の態様の第４の可能な実装形態では、第１の通信デバイスはユーザ機器ＵＥであり、第２の通信デバイスは基地局であり、第１のサブフレームはタイプ１サブフレームであり；第１の通信デバイスによって、第１のサブフレーム内の第１の時間−周波数リソース上で第２の通信デバイスによって送られた第１のサービスを受信するステップの前に、方法は、
第１の通信デバイスによって、第２の通信デバイスによって送られた第２のインジケーション情報を受信するステップであって、第２のインジケーション情報は、第１のサブフレームが第１のサービスを含むことを第１の通信デバイスに示すために、および物理ダウンリンク共有チャネルリソースの一部分上で第１のサービスを受信するように第１の通信デバイスに指示するために使用される、受信するステップをさらに含む。第４の可能な実装形態では、フィードバックサブフレームロケーションは、第１のサブフレーム内の、フィードバック情報を送信するために使用される時間−周波数リソースのロケーションである。
【００１３】
第４の可能な実装形態において提供される方法によれば、第１のサービスを受信した後、ＵＥは、現在の第１のサブフレームが終わる前に現在の第１のサブフレームのアップリンク送信リソースを使用することによって第１のフィードバック情報を基地局に送ってよく、第１のフィードバック情報を別のサブフレーム内で送る必要はない。そのため、ＵＥによって基地局の第１のサービスにフィードバックするために使用される時間は大幅に減少され、第１のサービスのフィードバック待ち時間は短縮される。
【００１４】
任意選択で、第１の態様の第５の可能な実装形態では、第１の通信デバイスはユーザ機器ＵＥであり、第２の通信デバイスは基地局であり、第１のサブフレームはタイプ２サブフレームであり、第１の時間−周波数リソースは、第１のサブフレーム内にありフィードバック情報を送信するために使用される時間−周波数リソースであり；第１の通信デバイスによって、第１のサブフレーム内の第１の時間−周波数リソース上で第２の通信デバイスによって送られた第１のサービスを受信するステップの前に、方法は、
第１の通信デバイスによって、第２の通信デバイスによって送られた第３のインジケーション情報を受信するステップであって、第３のインジケーション情報は、第１のサブフレームが第１のサービスを含むことを第１の通信デバイスに示すために、および第１のサブフレーム内にありフィードバック情報を送信するために使用される時間−周波数リソース上で第１のサービスを受信するように第１の通信デバイスに指示するために使用される、受信するステップをさらに含む。第５の可能な実装形態では、フィードバックサブフレームロケーションは、第１のサブフレーム内の、物理アップリンク共有チャネルリソースのロケーションである。
【００１５】
第５の可能な実装形態において提供される方法によれば、第１のサービスを受信した後、ＵＥは、現在の第１のサブフレームが終わる前に現在の第１のサブフレームのアップリンク送信リソースを使用することによって第１のフィードバック情報を基地局に送ってよく、第１のフィードバック情報を別のサブフレーム内で送る必要はない。そのため、ＵＥによって基地局の第１のサービスにフィードバックするために使用される時間は大幅に減少され、第１のサービスのフィードバック待ち時間は短縮される。
【００１６】
任意選択で、第１の態様の第６の可能な実装形態では、第１の通信デバイスは基地局であり、第２の通信デバイスはユーザ機器ＵＥであり；第１の時間−周波数リソースは第１のサブフレーム内の物理アップリンク制御チャネルリソースであり、第２の時間−周波数リソースは第１のサブフレーム内の物理アップリンク共有チャネルリソースであり；または、第１の時間−周波数リソースは物理アップリンク共有チャネルリソースの一部分であり、第２の時間−周波数リソースは物理アップリンク共有チャネルリソースの残りの部分であり；または、第１の時間−周波数リソースは物理アップリンク制御チャネルリソースの一部分および物理アップリンク共有チャネルリソースの一部分であり、第２の時間−周波数リソースは物理アップリンク共有チャネルリソースの残りの部分であり；
第１の通信デバイスによって、第１のサブフレーム内の第１の時間−周波数リソース上で第２の通信デバイスによって送られた第１のサービスを受信するステップの前に、方法は、第１の通信デバイスによって、第４のインジケーション情報を第２の通信デバイスに送るステップであって、第４のインジケーション情報は、第１のサブフレーム内の第１の時間−周波数リソース上で第１のサービスを送るように第２の通信デバイスに指示するために使用される、送るステップをさらに含む。第６の可能な実装形態では、フィードバックサブフレームロケーションは、ダウンリンク送信リソースを有し、第１のサブフレームに最も近く、フィードバック情報を送信することができるサブフレームである。
【００１７】
第６の可能な実装形態において提供される方法によれば、第２の通信デバイスが第１の時間−周波数リソース上で第１のサービスを送った後、第１の通信デバイスは、無線フレーム内の、ダウンリンク送信リソースを有し、第１のサブフレームに最も近く、フィードバック情報を送信することができるサブフレーム上で第１のフィードバック情報を送ってよい、すなわち、第１のサブフレーム内の時間−周波数リソースが再度割り振られる。第１のサービスのフィードバック待ち時間は、大幅に短縮される。
【００１８】
任意選択で、第１の態様の第７の可能な実装形態では、第１の通信デバイスは基地局であり、第２の通信デバイスはユーザ機器ＵＥであり、第１のサブフレームはタイプ１サブフレームであり；第１の通信デバイスによって、第１のサブフレーム内の第１の時間−周波数リソース上で第２の通信デバイスによって送られた第１のサービスを受信するステップの前に、方法は、第１の通信デバイスによって、第５のインジケーション情報を第２の通信デバイスに送るステップであって、第５のインジケーション情報は、第１の時間−周波数リソースが、第１のサブフレーム内にありフィードバック情報を送信するために使用される時間−周波数リソースであることを第２の通信デバイスに示すために使用される、送るステップをさらに含む。
【００１９】
任意選択で、第１の態様の第８の可能な実装形態では、第１の通信デバイスは基地局であり、第２の通信デバイスはユーザ機器ＵＥであり、第１のサブフレームはタイプ２サブフレームであり；第１の通信デバイスによって、第１のサブフレーム内の第１の時間−周波数リソース上で第２の通信デバイスによって送られた第１のサービスを受信するステップの前に、方法は、
第１の通信デバイスによって、第６のインジケーション情報を第２の通信デバイスに送るステップであって、第６のインジケーション情報は、第１の時間−周波数リソースが第１のサブフレーム内の物理アップリンク共有チャネルリソースの一部分であることを第２の通信デバイスに示すために使用される、送るステップをさらに含む。第７の可能な実装形態または第８の可能な実装形態では、フィードバックサブフレームロケーションは、第１のサブフレームの次の次のサブフレームである。
【００２０】
第７の可能な実装形態において提供される方法によれば、ＵＥは、現在の第１のサブフレームの末尾においてアップリンク送信リソースを使用することによってアップリンクデータを送信してよく、１つのアップリンクサブフレームがアップリンクデータを送信するのを待機する必要はない。このようにして、基地局は、第１のサブフレームの次の次のサブフレーム内で第１のフィードバック情報を送ることを完了してよく、従来のサービス（すなわち、第２のサービス）と同じ様式で少なくとも４つのサブフレームを待機した後、フィードバック情報を送る必要はない。そのため、この実装形態によれば、第１のサービスのリソース再使用ロケーションは、ＵＥによって基地局の第１のサービスにフィードバックするために使用される時間を大幅に減少させるように定義され、したがって、第１のサービスのフィードバック待ち時間は短縮され、短待ち時間ユーザデータ送信が実施される。
【００２１】
任意選択で、第１の態様の第９の可能な実装形態では、第１の通信デバイスは基地局であり、第２の通信デバイスはユーザ機器ＵＥであり、第１のサブフレームはタイプ２サブフレームであり；第１の通信デバイスによって、第１のサブフレーム内の第１の時間−周波数リソース上で第２の通信デバイスによって送られた第１のサービスを受信するステップの前に、方法は、
第１の通信デバイスによって、第７のインジケーション情報を第２の通信デバイスに第１のサブフレームの前のサブフレーム内で送るステップであって、第７のインジケーション情報は、第１の時間−周波数リソースが第１のサブフレーム内の物理アップリンク共有チャネルリソースの一部分であることを第２の通信デバイスに示すために使用される、送るステップをさらに含む。第９の可能な実装形態では、フィードバックサブフレームロケーションは、第１のサブフレームの次のサブフレームである。
【００２２】
第９の可能な実装形態において提供される方法によれば、第１のサブフレーム内の物理アップリンク共有チャネルリソースのＵＬリソースを再使用することは、ＵＥによって基地局の第１のサービスにフィードバックするために使用される時間を大幅に減少させ、第１のサービスのフィードバック待ち時間を短縮する。
【００２３】
第２の態様によれば、本発明は、
第２の通信デバイスによって、第１のサブフレーム内の第１の時間−周波数リソース上で第１の通信デバイスに第１のサービスを送るステップであって、第１の時間−周波数リソースは、第１のサブフレーム内の物理制御チャネルリソース、第１のサブフレーム内の物理共有チャネルリソース、またはフィードバックリソースのうちの少なくとも１つを含む、送るステップと、
第２の通信デバイスによって、第１のサービスに対応し、あらかじめ設定されたフィードバックサブフレームロケーションにおいて第１の通信デバイスによって送られた第１のフィードバック情報を受信するステップであって、第１のサブフレーム内の第１の時間−周波数リソースに対応するサブフレームロケーションとフィードバックサブフレームロケーションとの間の間隔が第１のタイミングであり、第２の通信デバイスによって第２のサービスを送るために使用される第２の時間−周波数リソースに対応するサブフレームロケーションと第１の通信デバイスによって第２のフィードバック情報を第２の通信デバイスに送るために使用される第３の時間−周波数リソースに対応するサブフレームロケーションとの間の間隔が第２のタイミングであり、第１のタイミングは第２のタイミングよりも短い、受信するステップと
を含むサービスフィードバック方法を提供する。
【００２４】
第２の態様の第１の可能な実装形態では、第２の通信デバイスによって、第１のサービスに対応し、あらかじめ設定されたフィードバックサブフレームロケーションにおいて第１の通信デバイスによって送られた第１のフィードバック情報を受信するステップの前に、方法は、
第２の通信デバイスによって、第１のサービスのタイプ、第１のサービスのサイズ、および第１のマッピング関係により、フィードバックサブフレームロケーションを決定するステップであって、第１のマッピング関係は第１の時間−周波数リソースと第１のタイミングとの間の対応を含む、決定するステップと
第２の通信デバイスによって、フィードバックサブフレームロケーションを第１の通信デバイスに送り、フィードバックサブフレームロケーションにおいて第１のフィードバック情報を送るように第１の通信デバイスに指示するステップと
をさらに含む。
【００２５】
第２の態様の第２の可能な実装形態では、第１の通信デバイスはユーザ機器ＵＥであり、第２の通信デバイスは基地局であり；第１の時間−周波数リソースは第１のサブフレーム内の物理ダウンリンク制御チャネルリソースであり、第２の時間−周波数リソースは第１のサブフレーム内の物理ダウンリンク共有チャネルリソースであり；または、第１の時間−周波数リソースは物理ダウンリンク共有チャネルリソースの一部分であり、第２の時間−周波数リソースは物理ダウンリンク共有チャネルリソースの残りの部分であり；または、第１の時間−周波数リソースは物理ダウンリンク制御チャネルリソースの一部分および物理ダウンリンク共有チャネルリソースの一部分であり、第２の時間−周波数リソースは物理ダウンリンク共有チャネルリソースの残りの部分であり；
第２の通信デバイスによって、第１のサービスを第１のサブフレーム内の第１の時間−周波数リソース上で第１の通信デバイスに送るステップの前に、方法は、第２の通信デバイスによって、第１のインジケーション情報を第１の通信デバイスに送るステップであって、第１のインジケーション情報は、第１のサブフレームが第１のサービスを含むことを第１の通信デバイスに示すために使用される、送るステップをさらに含む。第２の可能な実装形態では、フィードバックサブフレームロケーションは、無線フレーム内の、アップリンク送信リソースを有し、第１のサブフレームに最も近く、フィードバック情報を送信することができるサブフレームである。
【００２６】
第２の態様の第３の可能な実装形態では、第１の通信デバイスはユーザ機器ＵＥであり、第２の通信デバイスは基地局であり、第１のサブフレームはタイプ１サブフレームであり；第２の通信デバイスによって、第１のサービスを第１のサブフレーム内の第１の時間−周波数リソース上で第１の通信デバイスに送るステップの前に、方法は、第２の通信デバイスによって、第２のインジケーション情報を第１の通信デバイスに送るステップであって、第２のインジケーション情報は、第１のサブフレームが第１のサービスを含むことを第１の通信デバイスに示すために、および物理ダウンリンク共有チャネルリソースの一部分上で第１のサービスを受信するように第１の通信デバイスに指示するために使用される、送るステップをさらに含む。第３の可能な実装形態では、フィードバックサブフレームロケーションは、第１のサブフレーム内の、フィードバック情報を送信するために使用される時間−周波数リソースのロケーションである。
【００２７】
第２の態様の第４の可能な実装形態では、第１の通信デバイスはユーザ機器ＵＥであり、第２の通信デバイスは基地局であり、第１のサブフレームはタイプ２サブフレームであり、第１の時間−周波数リソースは、第１のサブフレーム内にありフィードバック情報を送信するために使用される時間−周波数リソースであり；第２の通信デバイスによって、第１のサブフレーム内の第１の時間−周波数リソース上で第１の通信デバイスに第１のサービスを送るステップの前に、方法が、第２の通信デバイスによって、第３のインジケーション情報を第１の通信デバイスに送るステップであって、第３のインジケーション情報は、第１のサブフレームが第１のサービスを含むことを第１の通信デバイスに示すために、および第１のサブフレーム内にありフィードバック情報を送信するために使用される時間−周波数リソース上で第１のサービスを受信するように第１の通信デバイスに指示するために使用される、送るステップをさらに含む。第４の可能な実装形態では、フィードバックサブフレームロケーションは、第１のサブフレーム内の、物理アップリンク共有チャネルリソースのロケーションである。
【００２８】
第２の態様の第５の可能な実装形態では、第１の通信デバイスは基地局であり、第２の通信デバイスはユーザ機器ＵＥであり；第１の時間−周波数リソースは第１のサブフレーム内の物理アップリンク制御チャネルリソースであり、第２の時間−周波数リソースは第１のサブフレーム内の物理アップリンク共有チャネルリソースであり；または、第１の時間−周波数リソースは物理アップリンク共有チャネルリソースの一部分であり、第２の時間−周波数リソースは物理アップリンク共有チャネルリソースの残りの部分であり；または、第１の時間−周波数リソースは物理アップリンク制御チャネルリソースの一部分および物理アップリンク共有チャネルリソースの一部分であり、第２の時間−周波数リソースは物理アップリンク共有チャネルリソースの残りの部分であり；
第２の通信デバイスによって、第１のサービスを第１のサブフレーム内の第１の時間−周波数リソース上で第１の通信デバイスに送るステップの前に、方法は、第２の通信デバイスによって、第１の通信デバイスによって送られた第４のインジケーション情報を受信するステップであって、第４のインジケーション情報は、第１のサブフレーム内の第１の時間−周波数リソース上で第１のサービスを送るように第２の通信デバイスに指示するために使用される、受信するステップをさらに含む。第５の可能な実装形態では、フィードバックサブフレームロケーションは、ダウンリンク送信リソースを有し、第１のサブフレームに最も近く、フィードバック情報を送信することができるサブフレームである。
【００２９】
第２の態様の第６の可能な実装形態では、第１の通信デバイスは基地局であり、第２の通信デバイスはユーザ機器ＵＥであり、第１のサブフレームはタイプ１サブフレームであり；第２の通信デバイスによって、第１のサービスを第１のサブフレーム内の第１の時間−周波数リソース上で第１の通信デバイスに送るステップの前に、方法は、第２の通信デバイスによって、第１の通信デバイスによって送られた第５のインジケーション情報を受信するステップであって、第５のインジケーション情報は、第１の時間−周波数リソースが、第１のサブフレーム内にありフィードバック情報を送信するために使用される時間−周波数リソースであることを第２の通信デバイスに示すために使用される、受信するステップをさらに含む。
【００３０】
第２の態様の第７の可能な実装形態では、第１の通信デバイスは基地局であり、第２の通信デバイスはユーザ機器ＵＥであり、第１のサブフレームはタイプ２サブフレームであり；第２の通信デバイスによって、第１のサービスを第１のサブフレーム内の第１の時間−周波数リソース上で第１の通信デバイスに送るステップの前に、方法は、第２の通信デバイスによって、第１の通信デバイスによって送られた第６のインジケーション情報を受信するステップであって、第６のインジケーション情報は、第１の時間−周波数リソースが第１のサブフレーム内の物理アップリンク共有チャネルリソースの一部分であることを第２の通信デバイスに示すために使用される、受信するステップをさらに含む。第６の可能な実装形態または第７の可能な実装形態では、フィードバックサブフレームロケーションは、第１のサブフレームの次の次のサブフレームである。
【００３１】
第２の態様の第８の可能な実装形態では、第１の通信デバイスは基地局であり、第２の通信デバイスはユーザ機器ＵＥであり、第１のサブフレームはタイプ２サブフレームであり；第２の通信デバイスによって、第１のサービスを第１のサブフレーム内の第１の時間−周波数リソース上で第１の通信デバイスに送るステップの前に、方法は、第２の通信デバイスによって、第１の通信デバイスによって第１のサブフレームの前のサブフレーム内で送られた第７のインジケーション情報を受信するステップであって、第７のインジケーション情報は、第１の時間−周波数リソースが第１のサブフレーム内の物理アップリンク共有チャネルリソースの一部分であることを第２の通信デバイスに示すために使用される、受信するステップをさらに含む。第８の可能な実装形態では、フィードバックサブフレームロケーションは、第１のサブフレームの次のサブフレームである。
【００３２】
第２の態様および第２の態様の可能な実装形態によってもたらされる有利な効果については、第１の態様および第１の態様の可能な実装形態によってもたらされる有利な効果を参照のこと。詳細は、本明細書では再度説明されない。
【００３３】
第３の態様によれば、本発明は、
第１のサブフレーム内の第１の時間−周波数リソース上で第２の通信デバイスによって送られた第１のサービスを受信するように構成された受信モジュールであって、第１の時間−周波数リソースは、第１のサブフレーム内の物理制御チャネルリソース、第１のサブフレーム内の物理共有チャネルリソース、またはフィードバックリソースのうちの少なくとも１つを含む、受信モジュールと、
あらかじめ設定されたフィードバックサブフレームロケーションにおいて、第１のサービスに対応する第１のフィードバック情報を送るように構成された送出モジュールであって、第１のサブフレーム内の第１の時間−周波数リソースに対応するサブフレームロケーションとフィードバックサブフレームロケーションとの間の間隔が第１のタイミングであり、第２の通信デバイスによって第２のサービスを送るために使用される第２の時間−周波数リソースに対応するサブフレームロケーションと通信デバイスによって第２のフィードバック情報を第２の通信デバイスに送るために使用される第３の時間−周波数リソースに対応するサブフレームロケーションとの間の間隔が第２のタイミングであり、第１のタイミングは第２のタイミングよりも短い、送出モジュールと
を含む通信デバイスを提供する。
【００３４】
第３の態様の第１の可能な実装形態では、通信デバイスは、
送出モジュールが、あらかじめ設定されたフィードバックサブフレームロケーションにおいて、第１のサービスに対応する第１のフィードバック情報を送る前に、第１のサービスのタイプ、第１のサービスのサイズ、および第１のマッピング関係により、フィードバックサブフレームロケーションを決定するように構成された処理モジュールであって、第１のマッピング関係は第１の時間−周波数リソースと第１のタイミングとの間の対応を含む、処理モジュール
をさらに含む。
【００３５】
第３の態様の第２の可能な実装形態では、受信モジュールは、送出モジュールが、あらかじめ設定されたフィードバックサブフレームロケーションにおいて、第１のサービスに対応する第１のフィードバック情報を送る前に、第２の通信デバイスによって第１のサービスのタイプ、第１のサービスのサイズ、および第１のマッピング関係により決定されたフィードバックサブフレームロケーションを受信するようにさらに構成され、第１のマッピング関係は第１の時間−周波数リソースと第１のタイミングとの間の対応を含む。
【００３６】
第３の態様の第３の可能な実装形態では、通信デバイスはユーザ機器ＵＥであり、第２の通信デバイスは基地局であり；第１の時間−周波数リソースは第１のサブフレーム内の物理ダウンリンク制御チャネルリソースであり、第２の時間−周波数リソースは第１のサブフレーム内の物理ダウンリンク共有チャネルリソースであり；または、第１の時間−周波数リソースは物理ダウンリンク共有チャネルリソースの一部分であり、第２の時間−周波数リソースは物理ダウンリンク共有チャネルリソースの残りの部分であり；または、第１の時間−周波数リソースは物理ダウンリンク制御チャネルリソースの一部分および物理ダウンリンク共有チャネルリソースの一部分であり、第２の時間−周波数リソースは物理ダウンリンク共有チャネルリソースの残りの部分であり；
受信モジュールは、第１のサブフレーム内の第１の時間−周波数リソース上で第２の通信デバイスによって送られた第１のサービスを受信する前に、第２の通信デバイスによって送られた第１のインジケーション情報を受信するようにさらに構成され、第１のインジケーション情報は、第１のサブフレームが第１のサービスを含むことを通信デバイスに示すために使用される。第３の可能な実装形態では、フィードバックサブフレームロケーションは、無線フレーム内の、アップリンク送信リソースを有し、第１のサブフレームに最も近く、フィードバック情報を送信することができるサブフレームである。
【００３７】
第３の態様の第４の可能な実装形態では、通信デバイスはユーザ機器ＵＥであり、第２の通信デバイスは基地局であり、第１のサブフレームはタイプ１サブフレームであり；受信モジュールは、第１のサブフレーム内の第１の時間−周波数リソース上で第２の通信デバイスによって送られた第１のサービスを受信する前に、第２の通信デバイスによって送られた第２のインジケーション情報を受信するようにさらに構成され、第２のインジケーション情報は、第１のサブフレームが第１のサービスを含むことを通信デバイスに示すために、および物理ダウンリンク共有チャネルリソースの一部分上で第１のサービスを受信するように通信デバイスに指示するために使用される。第４の可能な実装形態では、フィードバックサブフレームロケーションは、第１のサブフレーム内の、フィードバック情報を送信するために使用される時間−周波数リソースのロケーションである。
【００３８】
第３の態様の第５の可能な実装形態では、通信デバイスはユーザ機器ＵＥであり、第２の通信デバイスは基地局であり、第１のサブフレームはタイプ２サブフレームであり、第１の時間−周波数リソースは第１のサブフレーム内にありフィードバック情報を送信するために使用される時間−周波数リソースであり；受信モジュールは、第１のサブフレーム内の第１の時間−周波数リソース上で第２の通信デバイスによって送られた第１のサービスを受信する前に、第２の通信デバイスによって送られた第３のインジケーション情報を受信するようにさらに構成され、第３のインジケーション情報は、第１のサブフレームが第１のサービスを含むことを通信デバイスに示すために、および第１のサブフレーム内にありフィードバック情報を送信するために使用される時間−周波数リソース上で第１のサービスを受信するように通信デバイスに指示するために使用される。第５の可能な実装形態では、フィードバックサブフレームロケーションは、第１のサブフレーム内の、物理アップリンク共有チャネルリソースのロケーションである。
【００３９】
第３の態様の第６の可能な実装形態では、通信デバイスは基地局であり、第２の通信デバイスはユーザ機器ＵＥであり；第１の時間−周波数リソースは第１のサブフレーム内の物理アップリンク制御チャネルリソースであり、第２の時間−周波数リソースは第１のサブフレーム内の物理アップリンク共有チャネルリソースであり；または、第１の時間−周波数リソースは物理アップリンク共有チャネルリソースの一部分であり、第２の時間−周波数リソースは物理アップリンク共有チャネルリソースの残りの部分であり；または、第１の時間−周波数リソースは物理アップリンク制御チャネルリソースの一部分および物理アップリンク共有チャネルリソースの一部分であり、第２の時間−周波数リソースは物理アップリンク共有チャネルリソースの残りの部分であり；
送出モジュールは、受信モジュールが、第１のサブフレーム内の第１の時間−周波数リソース上で第２の通信デバイスによって送られた第１のサービスを受信する前に、第４のインジケーション情報を第２の通信デバイスに送るようにさらに構成され、第４のインジケーション情報は、第１のサブフレーム内の第１の時間−周波数リソース上で第１のサービスを送るように第２の通信デバイスに指示するために使用される。第６の可能な実装形態では、フィードバックサブフレームロケーションは、ダウンリンク送信リソースを有し、第１のサブフレームに最も近く、フィードバック情報を送信することができるサブフレームである。
【００４０】
第３の態様の第７の可能な実装形態では、通信デバイスは基地局であり、第２の通信デバイスはユーザ機器ＵＥであり、第１のサブフレームはタイプ１サブフレームであり；送出モジュールは、受信モジュールが、第１のサブフレーム内の第１の時間−周波数リソース上で第２の通信デバイスによって送られた第１のサービスを受信する前に、第５のインジケーション情報を第２の通信デバイスに送るようにさらに構成され、第５のインジケーション情報は、第１の時間−周波数リソースが、第１のサブフレーム内にありフィードバック情報を送信するために使用される時間−周波数リソースであることを第２の通信デバイスに示すために使用される。
【００４１】
第３の態様の第８の可能な実装形態では、通信デバイスは基地局であり、第２の通信デバイスはユーザ機器ＵＥであり、第１のサブフレームはタイプ２サブフレームであり；送出モジュールは、受信モジュールが、第１のサブフレーム内の第１の時間−周波数リソース上で第２の通信デバイスによって送られた第１のサービスを受信する前に、第６のインジケーション情報を第２の通信デバイスに送るようにさらに構成され、第６のインジケーション情報は、第１の時間−周波数リソースが第１のサブフレーム内の物理アップリンク共有チャネルリソースの一部分であることを第２の通信デバイスに示すために使用される。
【００４２】
第７の可能な実装形態または第８の可能な実装形態では、フィードバックサブフレームロケーションは、第１のサブフレームの次の次のサブフレームである。
【００４３】
第３の態様の第９の可能な実装形態では、通信デバイスは基地局であり、第２の通信デバイスはユーザ機器ＵＥであり、第１のサブフレームはタイプ２サブフレームであり；送出モジュールは、受信モジュールが、第１のサブフレーム内の第１の時間−周波数リソース上で第２の通信デバイスによって送られた第１のサービスを受信する前に、第７のインジケーション情報を第２の通信デバイスに第１のサブフレームの前のサブフレーム内で送るようにさらに構成され、第７のインジケーション情報は、第１の時間−周波数リソースが第１のサブフレーム内の物理アップリンク共有チャネルリソースの一部分であることを第２の通信デバイスに示すために使用される。第９の可能な実装形態では、フィードバックサブフレームロケーションは、第１のサブフレームの次のサブフレームである。
【００４４】
第３の態様および第３の態様の可能な実装形態によってもたらされる有利な効果については、第１の態様および第１の態様の可能な実装形態によってもたらされる有利な効果を参照のこと。詳細は、本明細書では再度説明されない。
【００４５】
第４の態様によれば、本発明は、
第１のサービスを第１のサブフレーム内の第１の時間−周波数リソース上で第１の通信デバイスに送るように構成された送出モジュールであって、第１の時間−周波数リソースは、第１のサブフレーム内の物理制御チャネルリソース、第１のサブフレーム内の物理共有チャネルリソース、またはフィードバックリソースのうちの少なくとも１つを含む、送出モジュールと、
第１のサービスに対応しあらかじめ設定されたフィードバックサブフレームロケーションにおいて第１の通信デバイスによって送られた第１のフィードバック情報を受信するように構成された受信モジュールであって、第１のサブフレーム内の第１の時間−周波数リソースに対応するサブフレームロケーションとフィードバックサブフレームロケーションとの間の間隔が第１のタイミングであり、通信デバイスによって第２のサービスを送るために使用される第２の時間−周波数リソースに対応するサブフレームロケーションと第１の通信デバイスによって第２のフィードバック情報を通信デバイスに送るために使用される第３の時間−周波数リソースに対応するサブフレームロケーションとの間の間隔が第２のタイミングであり、第１のタイミングは第２のタイミングよりも短い、受信モジュールと
を含む通信デバイスを提供する。
【００４６】
第４の態様の第１の可能な実装形態では、通信デバイスは、
受信モジュールが、第１のサービスに対応しあらかじめ設定されたフィードバックサブフレームロケーションにおいて第１の通信デバイスによって送られた第１のフィードバック情報を受信する前に、第１のサービスのタイプ、第１のサービスのサイズ、および第１のマッピング関係により、フィードバックサブフレームロケーションを決定するように構成された処理モジュールであって、第１のマッピング関係は第１の時間−周波数リソースと第１のタイミングとの間の対応を含む、処理モジュール
をさらに含み、
送出モジュールは、フィードバックサブフレームロケーションを第１の通信デバイスに送り、フィードバックサブフレームロケーションにおいて第１のフィードバック情報を送るように第１の通信デバイスに指示するように構成される。
【００４７】
第４の態様の第２の可能な実装形態では、第１の通信デバイスはユーザ機器ＵＥであり、通信デバイスは基地局であり；第１の時間−周波数リソースは第１のサブフレーム内の物理ダウンリンク制御チャネルリソースであり、第２の時間−周波数リソースは第１のサブフレーム内の物理ダウンリンク共有チャネルリソースであり；または、第１の時間−周波数リソースは物理ダウンリンク共有チャネルリソースの一部分であり、第２の時間−周波数リソースは物理ダウンリンク共有チャネルリソースの残りの部分であり；または、第１の時間−周波数リソースは物理ダウンリンク制御チャネルリソースの一部分および物理ダウンリンク共有チャネルリソースの一部分であり、第２の時間−周波数リソースは物理ダウンリンク共有チャネルリソースの残りの部分であり；
送出モジュールは、第１のサービスを第１のサブフレーム内の第１の時間−周波数リソース上で第１の通信デバイスに送る前に、第１のインジケーション情報を第１の通信デバイスに送るようにさらに構成され、第１のインジケーション情報は、第１のサブフレームが第１のサービスを含むことを第１の通信デバイスに示すために使用される。第２の可能な実装形態では、フィードバックサブフレームロケーションは、無線フレーム内の、アップリンク送信リソースを有し、第１のサブフレームに最も近く、フィードバック情報を送信することができるサブフレームである。
【００４８】
第４の態様の第３の可能な実装形態では、第１の通信デバイスはユーザ機器ＵＥであり、通信デバイスは基地局であり、第１のサブフレームはタイプ１サブフレームであり；送出モジュールは、第１のサービスを第１のサブフレーム内の第１の時間−周波数リソース上で第１の通信デバイスに送る前に、第２のインジケーション情報を第１の通信デバイスに送るようにさらに構成され、第２のインジケーション情報は、第１のサブフレームが第１のサービスを含むことを第１の通信デバイスに示すために、および物理ダウンリンク共有チャネルリソースの一部上で第１のサービスを受信するように第１の通信デバイスに指示するために使用される。第３の可能な実装形態では、フィードバックサブフレームロケーションは、第１のサブフレーム内の、フィードバック情報を送信するために使用される時間−周波数リソースのロケーションである。
【００４９】
第４の態様の第４の可能な実装形態では、第１の通信デバイスはユーザ機器ＵＥであり、通信デバイスは基地局であり、第１のサブフレームはタイプ２サブフレームであり、第１の時間−周波数リソースは、第１のサブフレーム内にありフィードバック情報を送信するために使用される時間−周波数リソースであり；送出モジュールは、第１のサービスを第１のサブフレーム内の第１の時間−周波数リソース上で第１の通信デバイスに送る前に、第３のインジケーション情報を第１の通信デバイスに送るようにさらに構成され、第３のインジケーション情報は、第１のサブフレームが第１のサービスを含むことを第１の通信デバイスに示すために、および第１のサブフレーム内にありフィードバック情報を送信するために使用される時間−周波数リソース上で第１のサービスを受信するように第１の通信デバイスに指示するために使用される。第４の可能な実装形態では、フィードバックサブフレームロケーションは、第１のサブフレーム内の、物理アップリンク共有チャネルリソースのロケーションである。
【００５０】
第４の態様の第５の可能な実装形態では、第１の通信デバイスは基地局であり、通信デバイスはユーザ機器ＵＥであり；第１の時間−周波数リソースは第１のサブフレーム内の物理アップリンク制御チャネルリソースであり、第２の時間−周波数リソースは第１のサブフレーム内の物理アップリンク共有チャネルリソースであり；または、第１の時間−周波数リソースは物理アップリンク共有チャネルリソースの一部分であり、第２の時間−周波数リソースは物理アップリンク共有チャネルリソースの残りの部分であり；または、第１の時間−周波数リソースは物理アップリンク制御チャネルリソースの一部分および物理アップリンク共有チャネルリソースの一部分であり、第２の時間−周波数リソースは物理アップリンク共有チャネルリソースの残りの部分であり；
受信モジュールは、送出モジュールが第１のサービスを第１のサブフレーム内の第１の時間−周波数リソース上で第１の通信デバイスに送る前に、第１の通信デバイスによって送られた第４のインジケーション情報を受信するようにさらに構成され、第４のインジケーション情報は、第１のサブフレーム内の第１の時間−周波数リソース上で第１のサービスを送るように通信デバイスに指示するために使用される。第５の可能な実装形態では、フィードバックサブフレームロケーションは、ダウンリンク送信リソースを有し、第１のサブフレームに最も近く、フィードバック情報を送信することができるサブフレームである。
【００５１】
第４の態様の第６の可能な実装形態では、第１の通信デバイスは基地局であり、通信デバイスはユーザ機器ＵＥであり、第１のサブフレームはタイプ１サブフレームであり；
受信モジュールは、送出モジュールが第１のサービスを第１のサブフレーム内の第１の時間−周波数リソース上で第１の通信デバイスに送る前に、第１の通信デバイスによって送られた第５のインジケーション情報を受信するようにさらに構成され、第５のインジケーション情報は、第１の時間−周波数リソースが、第１のサブフレーム内にありフィードバック情報を送信するために使用される時間−周波数リソースであることを通信デバイスに示すために使用される。
【００５２】
第４の態様の第７の可能な実装形態では、第１の通信デバイスは基地局であり、通信デバイスはユーザ機器ＵＥであり、第１のサブフレームはタイプ２サブフレームであり；
受信モジュールは、送出モジュールが第１のサービスを第１のサブフレーム内の第１の時間−周波数リソース上で第１の通信デバイスに送る前に、第１の通信デバイスによって送られた第６のインジケーション情報を受信するようにさらに構成され、第６のインジケーション情報は、第１の時間−周波数リソースが第１のサブフレーム内の物理アップリンク共有チャネルリソースの一部分であることを通信デバイスに示すために使用される。
【００５３】
第６の可能な実装形態または第７の可能な実装形態では、フィードバックサブフレームロケーションは、第１のサブフレームの次の次のサブフレームである。
【００５４】
第４の態様の第８の可能な実装形態では、第１の通信デバイスは基地局であり、通信デバイスはユーザ機器ＵＥであり、第１のサブフレームはタイプ２サブフレームであり；
受信モジュールは、送出モジュールが第１のサービスを第１のサブフレーム内の第１の時間−周波数リソース上で第１の通信デバイスに送る前に、第１の通信デバイスによって第１のサブフレームの前のサブフレーム内で送られた第７のインジケーション情報を受信するようにさらに構成され、第７のインジケーション情報は、第１の時間−周波数リソースが第１のサブフレーム内の物理アップリンク共有チャネルリソースの一部分であることを通信デバイスに示すために使用される。第８の可能な実装形態では、フィードバックサブフレームロケーションは、第１のサブフレームの次のサブフレームである。
【００５５】
第４の態様および第４の態様の可能な実装形態によってもたらされる有利な効果については、第１の態様および第１の態様の可能な実装形態によってもたらされる有利な効果を参照のこと。詳細は、本明細書では再度説明されない。
【００５６】
第５の態様によれば、本発明は、
第１のサブフレーム内の第１の時間−周波数リソース上で第２の通信デバイスによって送られた第１のサービスを受信するように構成された受信機であって、第１の時間−周波数リソースは、第１のサブフレーム内の物理制御チャネルリソース、第１のサブフレーム内の物理共有チャネルリソース、またはフィードバックリソースのうちの少なくとも１つを含む、受信機と、
あらかじめ設定されたフィードバックサブフレームロケーションにおいて、第１のサービスに対応する第１のフィードバック情報を送るように構成された送信機であって、第１のサブフレーム内の第１の時間−周波数リソースに対応するサブフレームロケーションとフィードバックサブフレームロケーションとの間の間隔が第１のタイミングであり、第２の通信デバイスによって第２のサービスを送るために使用される第２の時間−周波数リソースに対応するサブフレームロケーションと通信デバイスによって第２のフィードバック情報を第２の通信デバイスに送るために使用される第３の時間−周波数リソースに対応するサブフレームロケーションとの間の間隔が第２のタイミングであり、第１のタイミングは第２のタイミングよりも短い、送信機と
を含む通信デバイスを提供する。
【００５７】
第５の態様の第１の可能な実装形態では、通信デバイスは、
送信機が、あらかじめ設定されたフィードバックサブフレームロケーションにおいて、第１のサービスに対応する第１のフィードバック情報を送る前に、第１のサービスのタイプ、第１のサービスのサイズ、および第１のマッピング関係によりフィードバックサブフレームロケーションを決定するように構成されたプロセッサであって、第１のマッピング関係は第１の時間−周波数リソースと第１のタイミングとの間の対応を含む、プロセッサ
をさらに含む。
【００５８】
第５の態様の第２の可能な実装形態では、受信機は、送信機が、あらかじめ設定されたフィードバックサブフレームロケーションにおいて、第１のサービスに対応する第１のフィードバック情報を送る前に、第２の通信デバイスによって第１のサービスのタイプ、第１のサービスのサイズ、および第１のマッピング関係により決定されたフィードバックサブフレームロケーションを受信するようにさらに構成され、第１のマッピング関係は第１の時間−周波数リソースと第１のタイミングとの間の対応を含む。
【００５９】
第５の態様の第３の可能な実装形態では、通信デバイスはユーザ機器ＵＥであり、第２の通信デバイスは基地局であり；第１の時間−周波数リソースは第１のサブフレーム内の物理ダウンリンク制御チャネルリソースであり、第２の時間−周波数リソースは第１のサブフレーム内の物理ダウンリンク共有チャネルリソースであり；または、第１の時間−周波数リソースは物理ダウンリンク共有チャネルリソースの一部分であり、第２の時間−周波数リソースは物理ダウンリンク共有チャネルリソースの残りの部分であり；または、第１の時間−周波数リソースは物理ダウンリンク制御チャネルリソースの一部分および物理ダウンリンク共有チャネルリソースの一部分であり、第２の時間−周波数リソースは物理ダウンリンク共有チャネルリソースの残りの部分であり；
受信機は、第１のサブフレーム内の第１の時間−周波数リソース上で第２の通信デバイスによって送られた第１のサービスを受信する前に、第２の通信デバイスによって送られた第１のインジケーション情報を受信するようにさらに構成され、第１のインジケーション情報は、第１のサブフレームが第１のサービスを含むことを通信デバイスに示すために使用される。第３の可能な実装形態では、フィードバックサブフレームロケーションは、無線フレーム内の、アップリンク送信リソースを有し、第１のサブフレームに最も近く、フィードバック情報を送信することができるサブフレームである。
【００６０】
第５の態様の第４の可能な実装形態では、通信デバイスはユーザ機器ＵＥであり、第２の通信デバイスは基地局であり、第１のサブフレームはタイプ１サブフレームであり；受信機は、第１のサブフレーム内の第１の時間−周波数リソース上で第２の通信デバイスによって送られた第１のサービスを受信する前に、第２の通信デバイスによって送られた第２のインジケーション情報を受信するようにさらに構成され、第２のインジケーション情報は、第１のサブフレームが第１のサービスを含むことを通信デバイスに示すために、および物理ダウンリンク共有チャネルリソースの一部上で第１のサービスを受信するように通信デバイスに指示するために使用される。第４の可能な実装形態では、フィードバックサブフレームロケーションは、第１のサブフレーム内の、フィードバック情報を送信するために使用される時間−周波数リソースのロケーションである。
【００６１】
第５の態様の第５の可能な実装形態では、通信デバイスはユーザ機器ＵＥであり、第２の通信デバイスは基地局であり、第１のサブフレームはタイプ２サブフレームであり、第１の時間−周波数リソースは、第１のサブフレーム内にありフィードバック情報を送信するために使用される時間−周波数リソースであり；受信機は、第１のサブフレーム内の第１の時間−周波数リソース上で第２の通信デバイスによって送られた第１のサービスを受信する前に、第２の通信デバイスによって送られた第３のインジケーション情報を受信するようにさらに構成され、第３のインジケーション情報は、第１のサブフレームが第１のサービスを含むことを通信デバイスに示すために、および第１のサブフレーム内にありフィードバック情報を送信するために使用される時間−周波数リソース上で第１のサービスを受信するように通信デバイスに指示するために使用される。第５の可能な実装形態では、フィードバックサブフレームロケーションは、第１のサブフレーム内の、物理アップリンク共有チャネルリソースのロケーションである。
【００６２】
第５の態様の第６の可能な実装形態では、通信デバイスは基地局であり、第２の通信デバイスはユーザ機器ＵＥであり；第１の時間−周波数リソースは第１のサブフレーム内の物理アップリンク制御チャネルリソースであり、第２の時間−周波数リソースは第１のサブフレーム内の物理アップリンク共有チャネルリソースであり；または、第１の時間−周波数リソースは物理アップリンク共有チャネルリソースの一部分であり、第２の時間−周波数リソースは物理アップリンク共有チャネルリソースの残りの部分であり；または、第１の時間−周波数リソースは物理アップリンク制御チャネルリソースの一部分および物理アップリンク共有チャネルリソースの一部分であり、第２の時間−周波数リソースは物理アップリンク共有チャネルリソースの残りの部分であり；
送信機は、受信機が、第１のサブフレーム内の第１の時間−周波数リソース上で第２の通信デバイスによって送られた第１のサービスを受信する前に、第４のインジケーション情報を第２の通信デバイスに送るようにさらに構成され、第４のインジケーション情報は、第１のサブフレーム内の第１の時間−周波数リソース上で第１のサービスを送るように第２の通信デバイスに指示するために使用される。第６の可能な実装形態では、フィードバックサブフレームロケーションは、ダウンリンク送信リソースを有し、第１のサブフレームに最も近く、フィードバック情報を送信することができるサブフレームである。
【００６３】
第５の態様の第７の可能な実装形態では、通信デバイスは基地局であり、第２の通信デバイスはユーザ機器ＵＥであり、第１のサブフレームはタイプ１サブフレームであり；送信機は、受信機が、第１のサブフレーム内の第１の時間−周波数リソース上で第２の通信デバイスによって送られた第１のサービスを受信する前に、第５のインジケーション情報を第２の通信デバイスに送るようにさらに構成され、第５のインジケーション情報は、第１の時間−周波数リソースが、第１のサブフレーム内にありフィードバック情報を送信するために使用される時間−周波数リソースであることを第２の通信デバイスに示すために使用される。
【００６４】
第５の態様の第８の可能な実装形態では、通信デバイスは基地局であり、第２の通信デバイスはユーザ機器ＵＥであり、第１のサブフレームはタイプ２サブフレームであり；送信機は、受信機が、第１のサブフレーム内の第１の時間−周波数リソース上で第２の通信デバイスによって送られた第１のサービスを受信する前に、第６のインジケーション情報を第２の通信デバイスに送るようにさらに構成され、第６のインジケーション情報は、第１の時間−周波数リソースが第１のサブフレーム内の物理アップリンク共有チャネルリソースの一部分であることを第２の通信デバイスに示すために使用される。
【００６５】
第７の可能な実装形態または第８の可能な実装形態では、フィードバックサブフレームロケーションは、第１のサブフレームの次の次のサブフレームである。
【００６６】
第５の態様の第９の可能な実装形態では、通信デバイスは基地局であり、第２の通信デバイスはユーザ機器ＵＥであり、第１のサブフレームはタイプ２サブフレームであり；送信機は、受信機が、第１のサブフレーム内の第１の時間−周波数リソース上で第２の通信デバイスによって送られた第１のサービスを受信する前に、第７のインジケーション情報を第２の通信デバイスに第１のサブフレームの前のサブフレーム内で送るようにさらに構成され、第７のインジケーション情報は、第１の時間−周波数リソースが第１のサブフレーム内の物理アップリンク共有チャネルリソースの一部分であることを第２の通信デバイスに示すために使用される。第９の可能な実装形態では、フィードバックサブフレームロケーションは、第１のサブフレームの次のサブフレームである。
【００６７】
第５の態様および第５の態様の可能な実装形態によってもたらされる有利な効果については、第１の態様および第１の態様の可能な実装形態によってもたらされる有利な効果を参照のこと。詳細は、本明細書では再度説明されない。
【００６８】
第６の態様によれば、本発明は、
第１のサービスを第１のサブフレーム内の第１の時間−周波数リソース上で第１の通信デバイスに送るように構成された送信機であって、第１の時間−周波数リソースは、第１のサブフレーム内の物理制御チャネルリソース、第１のサブフレーム内の物理共有チャネルリソース、またはフィードバックリソースのうちの少なくとも１つを含む、送信機と、
第１のサービスに対応しあらかじめ設定されたフィードバックサブフレームロケーションにおいて第１の通信デバイスによって送られた第１のフィードバック情報を受信するように構成された受信機であって、第１のサブフレーム内の第１の時間−周波数リソースに対応するサブフレームロケーションとフィードバックサブフレームロケーションとの間の間隔が第１のタイミングであり、通信デバイスによって第２のサービスを送るために使用される第２の時間−周波数リソースに対応するサブフレームロケーションと第１の通信デバイスによって第２のフィードバック情報を通信デバイスに送るために使用される第３の時間−周波数リソースに対応するサブフレームロケーションとの間の間隔が第２のタイミングであり、第１のタイミングは第２のタイミングよりも短い、受信機と
を含む通信デバイスを提供する。
【００６９】
第６の態様の第１の可能な実装形態では、通信デバイスは、
受信機が、第１のサービスに対応しあらかじめ設定されたフィードバックサブフレームロケーションにおいて第１の通信デバイスによって送られた第１のフィードバック情報を受信する前に、第１のサービスのタイプ、第１のサービスのサイズ、および第１のマッピング関係により、フィードバックサブフレームロケーションを決定するように構成されたプロセッサであって、第１のマッピング関係は第１の時間−周波数リソースと第１のタイミングとの間の対応を含む、プロセッサ
をさらに含み、
送信機は、フィードバックサブフレームロケーションを第１の通信デバイスに送り、フィードバックサブフレームロケーションにおいて第１のフィードバック情報を送るように第１の通信デバイスに指示するように構成される。
【００７０】
第６の態様の第２の可能な実装形態では、第１の通信デバイスはユーザ機器ＵＥであり、通信デバイスは基地局であり；第１の時間−周波数リソースは第１のサブフレーム内の物理ダウンリンク制御チャネルリソースであり、第２の時間−周波数リソースは第１のサブフレーム内の物理ダウンリンク共有チャネルリソースであり；または、第１の時間−周波数リソースは物理ダウンリンク共有チャネルリソースの一部分であり、第２の時間−周波数リソースは物理ダウンリンク共有チャネルリソースの残りの部分であり；または、第１の時間−周波数リソースは物理ダウンリンク制御チャネルリソースの一部分および物理ダウンリンク共有チャネルリソースの一部分であり、第２の時間−周波数リソースは物理ダウンリンク共有チャネルリソースの残りの部分であり；
送信機は、第１のサービスを第１のサブフレーム内の第１の時間−周波数リソース上で第１の通信デバイスに送る前に、第１のインジケーション情報を第１の通信デバイスに送るようにさらに構成され、第１のインジケーション情報は、第１のサブフレームが第１のサービスを含むことを第１の通信デバイスに示すために使用される。第２の可能な実装形態では、フィードバックサブフレームロケーションは、無線フレーム内の、アップリンク送信リソースを有し、第１のサブフレームに最も近く、フィードバック情報を送信することができるサブフレームである。
【００７１】
第６の態様の第３の可能な実装形態では、第１の通信デバイスはユーザ機器ＵＥであり、通信デバイスは基地局であり、第１のサブフレームはタイプ１サブフレームであり；送信機は、第１のサービスを第１のサブフレーム内の第１の時間−周波数リソース上で第１の通信デバイスに送る前に、第２のインジケーション情報を第１の通信デバイスに送るようにさらに構成され、第２のインジケーション情報は、第１のサブフレームが第１のサービスを含むことを第１の通信デバイスに示すために、および物理ダウンリンク共有チャネルリソースの一部上で第１のサービスを受信するように第１の通信デバイスに指示するために使用される。第３の可能な実装形態では、フィードバックサブフレームロケーションは、第１のサブフレーム内の、フィードバック情報を送信するために使用される時間−周波数リソースのロケーションである。
【００７２】
第６の態様の第４の可能な実装形態では、第１の通信デバイスはユーザ機器ＵＥであり、通信デバイスは基地局であり、第１のサブフレームはタイプ２サブフレームであり、第１の時間−周波数リソースは、第１のサブフレーム内にありフィードバック情報を送信するために使用される時間−周波数リソースであり；送信機は、第１のサービスを第１のサブフレーム内の第１の時間−周波数リソース上で第１の通信デバイスに送る前に、第３のインジケーション情報を第１の通信デバイスに送るようにさらに構成され、第３のインジケーション情報は、第１のサブフレームが第１のサービスを含むことを第１の通信デバイスに示すために、および第１のサブフレーム内にありフィードバック情報を送信するために使用される時間−周波数リソース上で第１のサービスを受信するように第１の通信デバイスに指示するために使用される。第４の可能な実装形態では、フィードバックサブフレームロケーションは、第１のサブフレーム内の、物理アップリンク共有チャネルリソースのロケーションである。
【００７３】
第６の態様の第５の可能な実装形態では、第１の通信デバイスは基地局であり、通信デバイスはユーザ機器ＵＥであり；第１の時間−周波数リソースは第１のサブフレーム内の物理アップリンク制御チャネルリソースであり、第２の時間−周波数リソースは第１のサブフレーム内の物理アップリンク共有チャネルリソースであり；または、第１の時間−周波数リソースは物理アップリンク共有チャネルリソースの一部分であり、第２の時間−周波数リソースは物理アップリンク共有チャネルリソースの残りの部分であり；または、第１の時間−周波数リソースは物理アップリンク制御チャネルリソースの一部分および物理アップリンク共有チャネルリソースの一部分であり、第２の時間−周波数リソースは物理アップリンク共有チャネルリソースの残りの部分であり；
受信機は、送信機が第１のサービスを第１のサブフレーム内の第１の時間−周波数リソース上で第１の通信デバイスに送る前に、第１の通信デバイスによって送られた第４のインジケーション情報を受信するようにさらに構成され、第４のインジケーション情報は、第１のサブフレーム内の第１の時間−周波数リソース上で第１のサービスを送るように通信デバイスに指示するために使用される。第５の可能な実装形態では、フィードバックサブフレームロケーションは、ダウンリンク送信リソースを有し、第１のサブフレームに最も近く、フィードバック情報を送信することができるサブフレームである。
【００７４】
第６の態様の第６の可能な実装形態では、第１の通信デバイスは基地局であり、通信デバイスはユーザ機器ＵＥであり、第１のサブフレームはタイプ１サブフレームであり；
受信機は、送信機が第１のサービスを第１のサブフレーム内の第１の時間−周波数リソース上で第１の通信デバイスに送る前に、第１の通信デバイスによって送られた第５のインジケーション情報を受信するようにさらに構成され、第５のインジケーション情報は、第１の時間−周波数リソースが、第１のサブフレーム内にありフィードバック情報を送信するために使用される時間−周波数リソースであることを通信デバイスに示すために使用される。
【００７５】
第６の態様の第７の可能な実装形態では、第１の通信デバイスは基地局であり、通信デバイスはユーザ機器ＵＥであり、第１のサブフレームはタイプ２サブフレームであり；
受信機は、送信機が第１のサービスを第１のサブフレーム内の第１の時間−周波数リソース上で第１の通信デバイスに送る前に、第１の通信デバイスによって送られた第６のインジケーション情報を受信するようにさらに構成され、第６のインジケーション情報は、第１の時間−周波数リソースが第１のサブフレーム内の物理アップリンク共有チャネルリソースの一部分であることを通信デバイスに示すために使用される。
【００７６】
第６の可能な実装形態または第７の可能な実装形態では、フィードバックサブフレームロケーションは、第１のサブフレームの次の次のサブフレームである。
【００７７】
第６の態様の第８の可能な実装形態では、第１の通信デバイスは基地局であり、通信デバイスはユーザ機器ＵＥであり、第１のサブフレームはタイプ２サブフレームであり；
受信機は、送信機が第１のサービスを第１のサブフレーム内の第１の時間−周波数リソース上で第１の通信デバイスに送る前に、第１の通信デバイスによって第１のサブフレームの前のサブフレーム内で送られた第７のインジケーション情報を受信するようにさらに構成され、第７のインジケーション情報は、第１の時間−周波数リソースが第１のサブフレーム内の物理アップリンク共有チャネルリソースの一部分であることを通信デバイスに示すために使用される。第８の可能な実装形態では、フィードバックサブフレームロケーションは、第１のサブフレームの次のサブフレームである。
【００７８】
第１の態様から第６の態様のいずれか１つを参照すると、第１のタイミングは、２つのサブフレームの長さよりも短い。
【００７９】
第１の態様から第６の態様のいずれか１つを参照すると、物理制御チャネルリソースは、第１のサブフレーム内の物理ダウンリンク制御チャネルリソースおよび物理アップリンク制御チャネルリソースを含み；物理共有チャネルリソースは、第１のサブフレーム内の物理ダウンリンク共有チャネルリソースおよび物理アップリンク共有チャネルリソースを含み；フィードバックリソースは、第１のサブフレーム内にありフィードバック情報を送信するために使用される時間−周波数リソースを含む。
【００８０】
第６の態様および第６の態様の可能な実装形態によってもたらされる有利な効果については、第１の態様および第１の態様の可能な実装形態によってもたらされる有利な効果を参照のこと。詳細は、本明細書では再度説明されない。
【図面の簡単な説明】
【００８１】
本発明の実施形態における、または従来技術における技術的解決策について、より明確に説明するために、以下は、実施形態または従来技術について説明するために必要とされる添付の図面について簡単に説明する。明らかに、以下の説明における添付の図面は本発明のいくつかの実施形態を示し、当業者は、依然として、創意工夫なしでこれらの添付の図面から他の図面を導き出し得る。
【００８２】
【図１】本発明によるダウンリンクＨＡＲＱタイミングの概略図である。
【図２】本発明によるアップリンクＨＡＲＱタイミングの概略図である。
【図３】本発明によるＬＴＥシステムのアーキテクチャの概略図である。
【図４】本発明による新しいフレームの構造の概略図である。
【図５】本発明の第１の実施形態によるサービスフィードバック方法のシグナリングフローチャートである。
【図６】本発明の第２の実施形態によるサービスフィードバック方法のシグナリングフローチャートである。
【図７】本発明による第１のサブフレームのリソースロケーションの構造の第１の概略図である。
【図８】本発明による第１のサブフレームのリソースロケーションの構造の第２の概略図である。
【図９】本発明による第１のサブフレームのリソースロケーションの構造の第３の概略図である。
【図１０】本発明による無線フレームの構造の第１の概略図である。
【図１１】本発明の第３の実施形態によるサービスフィードバック方法のシグナリングフローチャートである。
【図１２】本発明による第１のサブフレームのリソースロケーションの構造の第４の概略図である。
【図１３】本発明の第４の実施形態によるサービスフィードバック方法の概略フローチャートである。
【図１４】本発明による第１のサブフレームのリソースロケーションの構造の第５の概略図である。
【図１５】本発明の第５の実施形態によるサービスフィードバック方法の概略フローチャートである。
【図１６】本発明による第１のサブフレームのリソースロケーションの構造の第６の概略図である。
【図１７】本発明による第１のサブフレームのリソースロケーションの構造の第７の概略図である。
【図１８】本発明による第１のサブフレームのリソースロケーションの構造の第８の概略図である。
【図１９】本発明による無線フレームの構造の第２の概略図である。
【図２０】本発明の第６の実施形態によるサービスフィードバック方法のシグナリングフローチャートである。
【図２１】本発明による第１のサブフレームのリソースロケーションの構造の第９の概略図である。
【図２２】本発明の第７の実施形態によるサービスフィードバック方法のシグナリングフローチャートである。
【図２３】本発明による第１のサブフレームのリソースロケーションの構造の第１０の概略図である。
【図２４】本発明の第８の実施形態によるサービスフィードバック方法のシグナリングフローチャートである。
【図２５】本発明による第１のサブフレームのリソースロケーションの構造の第１１の概略図である。
【図２６】本発明の第１の実施形態による通信デバイスの構造の概略図である。
【図２７】本発明の第２の実施形態による通信デバイスの構造の概略図である。
【図２８】本発明の第３の実施形態による通信デバイスの構造の概略図である。
【図２９】本発明の第４の実施形態による通信デバイスの構造の概略図である。
【図３０】本発明の第５の実施形態による通信デバイスの構造の概略図である。
【図３１】本発明の第６の実施形態による通信デバイスの構造の概略図である。
【図３２】本発明の第７の実施形態による通信デバイスの構造の概略図である。
【図３３】本発明の第８の実施形態による通信デバイスの構造の概略図である。
【発明を実施するための形態】
【００８３】
本発明の実施形態の目的、技術的解決策、および利点をより明確にするために、以下は、本発明の実施形態における添付の図面を参照しながら、本発明の実施形態における技術的解決策について明確かつ完全に説明する。明らかに、説明される実施形態は、本発明の実施形態のうちのいくつかであり、すべてではない。当業者によって本発明の実施形態に基づいて創意工夫なしに取得されるすべての他の実施形態は、本発明の保護範囲内に含まれるものとする。
【００８４】
本出願におけるサービスフィードバック方法および通信デバイスは、ＬＴＥシステムのネットワークアーキテクチャに適用可能であり、次世代（４．５Ｇまたは５Ｇ）通信システムのネットワークアーキテクチャにも適用可能である。図３を参照すると、ＬＴＥシステムが、一例として使用されている。ＬＴＥシステムは、ユーザ機器と、発展型ノードＢ（Ｅｖｏｌｖｅｄ  Ｎｏｄｅ  Ｂ、略してｅＮｏｄｅＢ）と、発展型パケットコア（Ｅｖｏｌｖｅｄ  Ｐａｃｋｅｔ  Ｃｏｒｅ、略してＥＰＣ）とを含む  。ＥＰＣはコアネットワーク部分の役割を果たし、シグナリング処理部分はモビリティ管理エンティティ（Ｍｏｂｉｌｉｔｙ  Ｍａｎａｇｅｍｅｎｔ  Ｅｎｔｉｔｙ、略してＭＭＥ）であり、データ処理部分はサービングゲートウェイ（Ｓｅｒｖｉｎｇ  Ｇａｔｅｗａｙ、略してＳ−ＧＷ）である。ｅＮｏｄｅＢはアクセスネットワーク部分の役割を果たし、アクセスネットワーク部分は、発展型ＵＭＴＳ地上無線アクセスネットワーク（Ｅｖｏｌｖｅｄ  ＵＴＲＡＮ、ｅｖｏｌｖｅｄ  ＵＴＲＡＮ）とも呼ばれる。ＬＴＥシステムは、他の３ＧＰＰシステムとの網間接続をサポートする。さまざまなデュプレックスモードにより、ＬＴＥシステムは、周波数分割複信ＬＴＥ（Ｆｒｅｑｕｅｎｃｙ  Ｄｉｖｉｓｉｏｎ  Ｄｕｐｌｅｘ−ＬＴＥ、略してＦＤＤ−ＬＴＥ）システムと、時分割複信ＬＴＥ（Ｔｉｍｅ  Ｄｉｖｉｓｉｏｎ  Ｄｕｐｌｅｘ−ＬＴＥ、略してＴＤＤ−ＬＴＥ）システムに分類される。
【００８５】
本出願における第１の通信デバイスは、基地局またはＵＥであってよい。本出願における第２の通信デバイスは、ＵＥまたは基地局であってよい。第１の通信デバイスが基地局であるとき、第２の通信デバイスはＵＥである。第１の通信デバイスがＵＥであるとき、第２の通信デバイスは基地局である。
【００８６】
さらに、本出願における基地局は、１つまたは複数のセクタを使用することによってアクセスネットワーク内のエアインタフェース上でワイヤレス端末と通信するデバイスであってよい。基地局は、受信されたｏｖｅｒ−ｔｈｅ−ａｉｒフレームとＩＰパケットを相互に変換し、ワイヤレス端末とアクセスネットワークの残りの部との間のルータとして働くように構成されてよい。アクセスネットワークの残りの部は、インターネットプロトコル（ＩＰ）ネットワークを含んでよい。基地局は、エアインタフェースの属性管理を調整してもまたよい。たとえば、基地局は、ＬＴＥ内の発展型ノードＢ（ＮｏｄｅＢ、ｅＮＢ  またはｅ−ＮｏｄｅＢ、ｅｖｏｌｖｅｄ  ＮｏｄｅＢ）であってよく、これは本出願では制限されない。
【００８７】
本出願におけるＵＥは、ワイヤレス端末であってよい。ワイヤレス端末は、ユーザに音声および／またはデータサービスを提供するデバイスを含んでよい。任意選択で、デバイスは、ワイヤレス接続機能を有するハンドヘルドデバイスであってもよく、ワイヤレスモデムに接続された別の処理デバイスであってもよい。さらに、ワイヤレス端末は、無線アクセスネットワーク（ＲＡＮ、無線アクセスネットワークなど）を使用することによって１つまたは複数のコアネットワークと通信してよい。たとえば、ワイヤレス端末は、具体的には、携帯電話（「セルラー式」電話とも呼ばれる）および移動端末を有するコンピュータなどの、移動端末であってよい。移動端末を有するコンピュータは、ポータブル装置、ポケットサイズ装置、ハンドヘルド装置、コンピュータ内蔵装置、または車載モバイル装置であってよく、音声および／またはデータをコアネットワークと交換する。
【００８８】
本発明の実施形態における第１のサブフレームは、ＬＴＥシステムにおける任意の構成を有する無線フレーム内のサブフレームであってもよく、図４に示される構造（タイプ１サブフレームまたはタイプ２サブフレーム）を有する新しいフレームであってもよいことが留意されるべきである。第１のサービスは、フィードバック待ち時間が、あらかじめ設定された待ち時間閾値よりも短いサービスであってよい。たとえば、第１のサービスは短待ち時間（ｌｏｗ  ｌａｔｅｎｃｙ）サービスであってよく、第１のサービスは、物理アップリンク共有チャネルまたは物理ダウンリンク共有チャネル上で搬送されるデータであってよい、すなわち、第１のサービスは、第１のデータと呼ばれてもよい。第２のサービスは、フィードバック待ち時間が、あらかじめ設定された待ち時間閾値よりも長いまたはそれに等しいサービスであってよい。第２のサービスは、物理アップリンク共有チャネルまたは物理ダウンリンク共有チャネル上で搬送されるデータであってもよい、すなわち、第２のサービスは、第２のデータと呼ばれてもよい。ＤＬは、ダウンリンク情報（ダウンリンクデータまたはダウンリンク制御情報であってよい）を送信するために使用されるダウンリンク送信リソースを表す。ＵＬは、アップリンク情報（アップリンクデータまたはアップリンク制御情報であってよい）を送信するために使用されるアップリンク送信リソースを表す。ＧＰは、ガード間隔のために使用されるリソースを表す。
【００８９】
本発明の実施形態は、サービスフィードバック方法および通信デバイスを提供して、従来技術では、サービスデータを送ることからフィードバックまでの期間が過度に長く、短待ち時間サービスの短待ち時間要件が満たされ得ないという技術的問題を解決する。
【００９０】
特定の実施形態は、以下で、本発明の技術的解決策について詳細に説明するために使用される。以下のいくつかの特定の実施形態は互いと組み合わされてよく、いくつかの実施形態では、同じまたは類似の概念または手順は、繰り返し説明されないことがある。
【００９１】
図５は、本発明の第１の実施形態によるサービスフィードバック方法のシグナリングフローチャートである。この実施形態では、第２の通信デバイスが、第１のサブフレーム内の第１の時間−周波数リソース上で第１のサービスを送った後、第１の通信デバイスが、あらかじめ設定されたサブフレームロケーションにおいて第１のフィードバック情報（第１のフィードバック情報はＡＣＫ情報またはＮＡＣＫ情報であってよく、以下の第２のフィードバック情報はＡＣＫ情報またはＮＡＣＫ情報であってよい）を第２の通信デバイスに送り、短待ち時間サービスの短待ち時間フィードバック要件を満たす。この実施形態では、第１の通信デバイスは基地局であってよく、第２の通信デバイスはＵＥであってよく、または、第１の通信デバイスはＵＥであってよく、第２の通信デバイスは基地局であってよい。すなわち、この実施形態における方法は、ＵＥによって送られた第１のサービスを受信すると基地局がフィードバック情報をＵＥに送るプロセスであってもよく、基地局によって送られた第１のサービスを受信した後、ＵＥがフィードバック情報を基地局に送るプロセスであってもよい。
【００９２】
図５に示されるように、方法は、以下のステップを含む。
【００９３】
Ｓ１０１：第２の通信デバイスが、第１のサービスを第１のサブフレーム内の第１の時間−周波数リソース上で第１の通信デバイスに送る。
【００９４】
具体的には、第１の通信デバイスがＵＥであり、第２の通信デバイスが基地局であるとき、基地局は、第１のサービスを第１のサブフレーム内の第１の時間−周波数リソース上でＵＥに送ることを決定してよい。第１のサブフレームは、ダウンリンクサブフレームである。第１の通信デバイスが基地局であり、第２の通信デバイスがＵＥであるとき、ＵＥは、基地局のスケジューリングインジケーションにより、ＵＥが第１のサブフレーム内の第１の時間−周波数リソース上で第１のサービスを送ることを決定する。第１のサブフレームは、アップリンクサブフレームである。任意選択で、第１のサービスは、短待ち時間サービスであってよい。
【００９５】
第１の時間−周波数リソースは、第１のサブフレーム内の物理制御チャネルリソースを含んでもよく、物理共有チャネルリソースを含んでもよく、物理制御チャネルリソースと物理共有チャネルリソースとを含んでもよい。
【００９６】
具体的には、第１の時間−周波数リソースは、第１のサブフレーム内の物理ダウンリンク制御チャネルリソース、第１のサブフレーム内の物理ダウンリンク共有チャネルリソース、物理アップリンク制御チャネルリソース、物理アップリンク共有チャネルリソース、またはフィードバック情報を送信するために使用される時間−周波数リソースの少なくとも１つの時間−周波数リソースを含んでよい。物理ダウンリンク制御チャネルリソースは、第１のサブフレーム内の物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、略してＰＤＣＣＨ）上で情報を送信するために使用される時間−周波数リソースであってもよく、第１のサブフレーム内でＥ−ＰＤＣＣＨ情報を送信するために使用される時間−周波数リソースであってもよい。物理アップリンク制御チャネルリソースは、第１のサブフレーム内の物理アップリンク制御チャネル（Ｐｈｙｓｉｃａｌ  Ｕｐｌｉｎｋ  Ｃｏｎｔｒｏｌ  Ｃｈａｎｎｅｌ、略してＰＵＣＣＨ）上で情報を送信するために使用される時間−周波数リソースであってもよく、第１のサブフレーム内でＥ−ＰＵＣＣＨ情報を送信するために使用されるリソースであってもよい。物理ダウンリンク共有チャネルリソースは、第１のサブフレーム内の物理ダウンリンク共有チャネル（Ｐｈｙｓｉｃａｌ  Ｄｏｗｎｌｉｎｋ  Ｓｈａｒｅｄ  Ｃｈａｎｎｅｌ、略してＰＤＳＣＨ）上で情報を送信するために使用される時間−周波数リソースであってもよく、Ｅ−ＰＤＣＣＨ情報を送信するために使用される時間−周波数リソースであってもよい。物理アップリンク共有チャネルリソースは、第１のサブフレーム内の物理アップリンク共有チャネル（Ｐｈｙｓｉｃａｌ  Ｕｐｌｉｎｋ  Ｓｈａｒｅｄ  Ｃｈａｎｎｅｌ、略してＰＵＳＣＨ）上で情報を送信するために使用される時間−周波数リソースであってよい。フィードバック情報を送信するために使用される時間−周波数リソースは、タイプ１サブフレーム内でＰＵＣＣＨ情報および参照信号を送信するために使用されるアップリンク送信リソースであってもよく、タイプ２サブフレーム内でフィードバック情報およびいくつかのダウンリンクインジケーション情報（ＰＤＣＣＨ上で送信される情報）を送信するために使用されるダウンリンク送信リソースであってもよい。
【００９７】
ＰＤＣＣＨ情報は、ＰＤＣＣＨチャネル上で送信される情報を指し、ＰＵＣＣＨ情報は、ＰＵＣＣＨチャネル上で送信される情報を指し、ＰＤＳＣＨ情報は、ＰＤＳＣＨチャネル上で送信される情報を指し、ＰＵＳＣＨ情報は、ＰＵＳＣＨチャネル上で送信される情報を指すことが留意されるべきである。
【００９８】
第２の通信デバイスが、第１のサービスを第１の時間−周波数リソース上で第１の通信デバイスに送った後、第２の通信デバイスは、第２のサービスを第２の時間−周波数リソース上で第１の通信デバイスに送る。任意選択で、第２のサービスは、待ち時間に関する比較的低い要件を有する従来のサービスである。第２の時間−周波数リソースのタイプは、第１の時間−周波数リソースのタイプと同じであってもよく、これと異なってもよい。たとえば、第１の時間−周波数リソースが第１のサブフレーム内の物理ダウンリンク制御チャネルリソースであるとき、第２の時間−周波数リソースは、第１のサブフレーム内の物理ダウンリンク共有チャネルリソースであってよい。別の例では、第１の時間−周波数リソースが第１のサブフレーム内の物理ダウンリンク共有チャネルリソースの一部分であるとき、第２の時間−周波数リソースは、物理ダウンリンク共有チャネルリソースの残りの部分であってよい。
【００９９】
Ｓ１０２：第１の通信デバイスが、第１のサブフレーム内の第１の時間−周波数リソース上で第２の通信デバイスによって送られた第１のサービスを受信する。
【０１００】
具体的には、第１の通信デバイスがＵＥであり、第２の通信デバイスが基地局であるとき、第２の通信デバイスは、第１のサブフレーム内の対応するリソースロケーション上で（たとえば、第１の時間−周波数リソース上で）第１のサービスを受信するように第１の通信デバイスに指示してよい。第１の通信デバイスが基地局であり、第２の通信デバイスがＵＥであるとき、第１の通信デバイスは、第１の時間−周波数リソース上で第１のサービスを送るように第２の通信デバイスに指示してよく、したがって、第１の通信デバイスは、対応するリソースロケーション上で（たとえば、第１の時間−周波数リソース上で）、第２の通信デバイスによって送られた第１のサービスを受信してよい。
【０１０１】
Ｓ１０３：第１の通信デバイスが、あらかじめ設定されたフィードバックサブフレームロケーションにおいて、第１のサービスに対応する第１のフィードバック情報を送る。
【０１０２】
第１のサブフレーム内の第１の時間−周波数リソースに対応するサブフレームロケーションとフィードバックサブフレームロケーションとの間の間隔が、第１のタイミングである。第２の通信デバイスによって第２のサービスを送るために使用される第２の時間−周波数リソースに対応するサブフレームロケーションと第１の通信デバイスによって第２のフィードバック情報を第２の通信デバイスに送るために使用される第３の時間−周波数リソースに対応するサブフレームロケーションとの間の間隔が、第２のタイミングである。第１のタイミングは、第２のタイミングよりも短い。
【０１０３】
具体的には、上記で説明されているように、第１のサブフレームは、異なるタイプの時間−周波数リソースに対応し、異なるタイプの時間−周波数リソースは、第１のサブフレーム内の異なるサブフレームロケーションに対応する。第１のサービスを受信した後、第１の通信デバイスは、あらかじめ設定されたフィードバックサブフレームロケーションにおいて、第１のサービスに対応する第１のフィードバック情報を第２の通信デバイスに送ってよい。あらかじめ設定されたフィードバックサブフレームロケーションと第１の時間−周波数リソースに対応するサブフレームロケーションとの間の間隔は、第１のタイミングと呼ばれることがある。第２のサービスを受信した後、第１の通信デバイスは、第１のサブフレーム内の第３の時間−周波数リソースロケーションにおいて第２のフィードバック情報を第２の通信デバイスに送る。フィードバック機構に関する詳細については、従来技術を参照のこと。たとえば、第２の時間−周波数リソースに対応するサブフレームロケーションと第３の時間−周波数リソースに対応するサブフレームロケーションとの間の間隔は、少なくとも４つのサブフレームである、または４つのサブフレームである。この実施形態では、第２の時間−周波数リソースに対応するサブフレームロケーションと第３の時間−周波数リソースに対応するサブフレームロケーションとの間の間隔は、第２のタイミングと呼ばれる。第１のタイミングは第２のタイミングよりも短い、すなわち、本発明のこの実施形態では、第１のサービスは、物理制御チャネルリソースまたは物理共有チャネルリソース上で送信され得るものであり、第１のサービスは第２のサービスの前に送信され、したがって、第１の通信デバイスは、第１のサービスを受信した後、第１のサービスを処理するのに十分な時間を有する。これは、第１のサービスを送ることと第１のサービスに対応する第１のフィードバック情報を受信することとの間の待ち時間が、第２のサービスを送ることと第２のサービスに対応する第２のフィードバック情報を受信することとの間の待ち時間よりも短い、すなわち、従来のサービスのフィードバック待ち時間よりも短いことを確実にする。そのため、本発明のこの実施形態において提供されるサービスフィードバック方法によれば、データを送ることから短待ち時間サービスのフィードバックまでの期間は短縮可能であり、短待ち時間サービスの短待ち時間要件が満たされ得るものであり、短待ち時間サービスの通信品質は改善可能である。
【０１０４】
本発明のこの実施形態において提供されるサービスフィードバック方法によれば、第２の通信デバイスは、第１のサービスを第１の時間−周波数リソース上で第１の通信デバイスに送り、したがって、第１の通信デバイスは、第１のサービスを受信した後、第１のサービスを処理するのに十分な時間を有する。第１のサブフレーム内の時間−周波数リソースが再度割り振られ、第１の通信デバイスは、第１のサービスを送ることと第１のサービスに対応する第１のフィードバック情報を受信することとの間の待ち時間（すなわち、第１のタイミング）が、第２のサービスを送ることと第２のサービスに対応する第２のフィードバック情報を受信することとの間の待ち時間（すなわち、第２のタイミング）よりも短い、すなわち、従来のサービスのフィードバック待ち時間よりも短いことを確実にするように、あらかじめ設定されたフィードバックサブフレームロケーションにおいて第１のフィードバック情報を第２の通信デバイスに送ってよい。そのため、本発明のこの実施形態において提供されるサービスフィードバック方法により、データを送ることから短待ち時間サービスのフィードバックまでの期間が短縮され、短待ち時間サービスの短待ち時間要件が満たされる。
【０１０５】
さらに、第１のタイミングの長さは２つのサブフレームの長さよりも短くてよく、第２のタイミングの長さは４つのサブフレームの長さよりも長くてよい。任意選択で、あらかじめ設定されたフィードバックサブフレームロケーションは、第１の通信デバイスによって決定されてよく、第２の通信デバイスによって指示された後、第１の通信デバイスによって決定されてよい。詳細については、以下の２つの可能な実装形態を参照のこと。
【０１０６】
第１の可能な実装形態では、第１の通信デバイスは、第１のサービスのタイプ、第１のサービスのサイズ、および第１のマッピング関係により、フィードバックサブフレームロケーションを決定する。第１のマッピング関係は、第１の時間−周波数リソースと第１のタイミングとの間の対応を含む。第１のタイミングは、フィードバックサブフレームロケーションを示すために使用されてよい。
【０１０７】
具体的には、第１のサービスを受信した後、第１の通信デバイスは、第１のサービスのタイプにより、第１のサービスが短待ち時間サービスであることを決定する。任意選択で、第１のサービスは、第１のサービスのタイプを搬送してよい。次いで、第１の通信デバイスは、第１のサービスのサイズおよびあらかじめ設定された第１のマッピング関係により、第１の時間−周波数リソースに対応する第１のタイミングを決定する。第１の通信デバイスは、第１のタイミングおよび第１のサブフレーム内の第１の時間−周波数リソースに対応するサブフレームロケーションにより、第１のフィードバック情報を送るためのフィードバックサブフレームロケーションを決定し、フィードバックサブフレームロケーションにおいて第１のフィードバック情報をさらに送ってよい。第１のマッピング関係では、第１の時間−周波数リソースに対応する第１のタイミングは、第１のサブフレーム内にあり第１の時間−周波数リソースに対応する異なるサブフレームロケーションとともに変化する。そのため、最終的に決定されるフィードバックサブフレームロケーションは異なる。任意選択で、フィードバックサブフレームロケーションは、第１のサブフレーム内に配置されてもよく、第１のサブフレームの次のサブフレーム内に配置されてもよく、第１のサブフレームの次の次のサブフレーム内に配置されてもよい。詳細については、以下の実施形態の説明を参照のこと。
【０１０８】
第２の可能な実装形態では、第２の通信デバイスが、第１のサービスのタイプ、第１のサービスのサイズ、および第１のマッピング関係により、フィードバックサブフレームロケーションを決定し、フィードバックサブフレームロケーションを第１の通信デバイスに送り、フィードバックサブフレームロケーションにおいて第１のフィードバック情報を送るように第１の通信デバイスに指示する。第１のマッピング関係は、第１の時間−周波数リソースと第１のタイミングとの間の対応を含む。
【０１０９】
具体的には、第１のサービスを第１の通信デバイスに送る前に、第２の通信デバイスは、第１のサービスのタイプおよびサイズを事前に学習する。第１のサービスのタイプが短待ち時間サービスであることを決定するとき、第２の通信デバイスは、第１のサービスのサイズおよびあらかじめ設定された第１のマッピング関係により、第１の時間−周波数リソースに対応する第１のタイミングを決定し、第１のタイミングおよび第１のサブフレーム内の第１の時間−周波数リソースに対応するサブフレームロケーションにより、第１のフィードバック情報を第１の通信デバイスによって送るためのフィードバックサブフレームロケーションを決定する。さらに、第２の通信デバイスは、フィードバックサブフレームロケーションを第１の通信デバイスに送り、したがって、第１の通信デバイスは、フィードバックサブフレームロケーションにおいて第１のフィードバック情報を送る。第１のマッピング関係では、第１の時間−周波数リソースに対応する第１のタイミングは、第１のサブフレーム内にあり第１の時間−周波数リソースに対応する異なるサブフレームロケーションとともに変化する。そのため、最終的に決定されるフィードバックサブフレームロケーションは異なる。任意選択で、フィードバックサブフレームロケーションは、第１のサブフレーム内に配置されてもよく、第１のサブフレームの次のサブフレーム内に配置されてもよく、第１のサブフレームの次の次のサブフレーム内に配置されてもよい。詳細については、以下の実施形態の説明を参照のこと。
【０１１０】
通常、前述のサービスフィードバックシナリオにおいて、２つのシステムがあり得る。一方は、図４に示される新しいフレーム構造を使用しないシステムであり、他方は、図４に示される新しいフレーム構造を使用するシステムである。以下は、異なる実施形態を使用することによって、２つのシステム内のサービスフィードバックプロセスについて詳細に説明する。
【０１１１】
図６は、本発明の第２の実施形態によるサービスフィードバック方法のシグナリングフローチャートである。この実施形態は、図４に示される新しいフレーム構造を使用しないシステムに適用可能である。この実施形態は、ＵＥが、基地局によって送られた第１のサービスにフィードバックするプロセスに関する。第１の通信デバイスはＵＥであり、第２の通信デバイスは基地局である。解決策を明確に理解するために、第１の通信デバイスはＵＥによって置き換えられ、第２の通信デバイスは基地局によって置き換えられる。図６に示されるように、方法は、以下のステップを含む。
【０１１２】
Ｓ２０１：基地局が、第１のインジケーション情報をＵＥに送る。
【０１１３】
第１のインジケーション情報は、第１のサブフレームが第１のサービスを含むことをＵＥに示すために使用される。任意選択で、基地局は、ＰＤＣＣＨを使用して、第１のインジケーション情報を第１のサブフレーム内のＰＤＣＣＨリソース上でＵＥに送ってよい。
【０１１４】
Ｓ２０２：ＵＥが、第１のインジケーション情報を受信する。
【０１１５】
第１のインジケーション情報を検出した後、ＵＥは、現在の第１のサブフレームが第１のサービスを含むことを学習し、そのため、ＵＥは、第１のサービスを受信するのを待機する。
【０１１６】
Ｓ２０３：基地局が、第１のサービスを第１の時間−周波数リソース上でＵＥに送る。
【０１１７】
この実施形態では、第１の時間−周波数リソースは、第１のサブフレーム内の物理ダウンリンク制御チャネルリソースであってよく、基地局によって第２のサービスを送るために使用される第２の時間−周波数リソースは、第１のサブフレーム内の物理ダウンリンク共有チャネルリソースである（図７に示される第１のサブフレームのリソースロケーションの構造の第１の概略図を参照のこと）。代替的に、第１の時間−周波数リソースは、第１のサブフレーム内の物理ダウンリンク共有チャネルリソースの一部分であり、基地局によって第２のサービスを送るために使用される第２の時間−周波数リソースは、第１のサブフレーム内の物理ダウンリンク共有チャネルリソースの残りの部分である（図８に示される第１のサブフレームのリソースロケーションの構造の第２の概略図を参照のこと）。代替的に、第１の時間−周波数リソースは、第１のサブフレーム内の物理ダウンリンク制御チャネルリソースの一部分および第１のサブフレーム内の物理ダウンリンク共有チャネルリソースの一部分であり、基地局によって第２のサービスを送るために使用される第２の時間−周波数リソースは、第１のサブフレーム内の物理ダウンリンク共有チャネルリソースの残りの部分である（図９に示される第１のサブフレームのリソースロケーションの構造の第３の概略図を参照のこと）。
【０１１８】
Ｓ２０４：ＵＥが第１のサービスを受信する。
【０１１９】
Ｓ２０５：ＵＥが、あらかじめ設定されたフィードバックサブフレームロケーションにおいて第１のフィードバック情報を基地局に送る。
【０１２０】
具体的には、あらかじめ設定されたフィードバックサブフレームロケーションは、ＵＥによって決定されてもよく、基地局によって決定された後、基地局によってＵＥに送られてもよい。具体的な決定様式については、前述の２つの可能な実装形態を参照のこと。詳細は、本明細書では再度説明されない。この実施形態では、ＵＥが第１のフィードバック情報を基地局に送るフィードバックサブフレームロケーションは、無線フレーム内の、アップリンク送信リソースを有し、第１のサブフレームに最も近く、フィードバック情報を送信することができるサブフレームである。たとえば、図１０に示される無線フレームの構造の第１の概略図を参照すると、第１のサブフレームはサブフレーム０であり、第１の時間−周波数リソースはサブフレーム０の第１の部分に対応し、基地局は、第１のサービスをリソース部分上で送る。フィードバックサブフレームロケーションはサブフレーム２内に配置される、すなわち、ＵＥは、第１のフィードバック情報をサブフレーム２内で送る。サブフレーム０とサブフレーム２との間の時間間隔が、第１のタイミングである。基地局は、時間−周波数リソース上で第２のサービスを送り、時間−周波数リソースはサブフレーム０の第２の半分部分内にある、すなわち、サブフレーム０における、第２の時間−周波数リソースのロケーションは、サブフレーム０の第２の半分部分である。第３の時間−周波数リソースに対応するサブフレームロケーションは、サブフレーム７内に配置される。第２の時間−周波数リソースに対応するサブフレームロケーションと第３の時間−周波数リソースに対応するサブフレームロケーションとの間の時間間隔が、第２のタイミングである。第２のタイミングは、従来のサービスのフィードバック機構のためのものである。図１０から、第１のタイミングは第２のタイミングよりも短いことがわかり得る。そのため、本発明のこの実施形態において提供されるサービスフィードバック方法によれば、第１のサービスのフィードバック待ち時間が大幅に短縮される。任意選択で、無線フレーム内の、アップリンク送信リソースを有し、第１のサブフレームに最も近く、フィードバック情報を送信することができる任意のサブフレームは、フィードバックサブフレームロケーションとして使用されてよい。たとえば、図１０におけるスペシャルサブフレーム１が、フィードバック情報を送信することができるアップリンク送信リソースを有するとき、スペシャルサブフレーム１は、フィードバックサブフレームロケーションとして使用されてよい。確かに、この実施形態における実際の例では、スペシャルサブフレーム１内でフィードバック情報を送信するために使用可能なアップリンク送信リソースはなく、そのため、サブフレーム２がフィードバックサブフレームロケーションとして使用される。
【０１２１】
Ｓ２０６：基地局が第１のフィードバック情報を受信する。
【０１２２】
図１１は、本発明の第３の実施形態によるサービスフィードバック方法のシグナリングフローチャートである。この実施形態は、図４に示される新しいフレーム構造を使用するシステムに適用可能である。この実施形態における第１のサブフレームは、タイプ１サブフレームである。この実施形態は、ＵＥが、基地局によって送られた第１のサービスにフィードバックする別の特定のプロセスに関する。第１の通信デバイスはＵＥであり、第２の通信デバイスは基地局である。解決策を明確に理解するために、第１の通信デバイスはＵＥによって置き換えられ、第２の通信デバイスは基地局によって置き換えられる。図１１に示されるように、方法は、以下のステップを含む。
【０１２３】
Ｓ３０１：基地局が、第２のインジケーション情報をＵＥに送る。
【０１２４】
第２のインジケーション情報は、第１のサブフレームが第１のサービスを含むことをＵＥに示し、第１のサブフレーム内の物理ダウンリンク共有チャネルリソースの一部分上で第１のサービスを受信するようにＵＥに指示する、すなわち、第１の時間−周波数リソース上で第１のサービスを受信するようにＵＥに指示するために使用される（すなわち、基地局が第１の時間−周波数リソース上で第１のサービスを送り、それに対応して、ＵＥもまた、第１の時間−周波数リソース上で第１のサービスを受信する）。任意選択で、基地局は、ＰＤＣＣＨを使用して、第２のインジケーション情報を第１のサブフレーム内のＰＤＣＣＨリソース上でＵＥに送ってよい。
【０１２５】
Ｓ３０２：ＵＥが、第２のインジケーション情報を受信する。
【０１２６】
具体的には、第２のインジケーション情報を受信した後、ＵＥは、第２のインジケーション情報により、第１の時間−周波数リソース上で第１のサービスを受信することを決定してよい。
【０１２７】
Ｓ３０３：基地局が、第１のサービスを第１の時間−周波数リソース上でＵＥに送る。
【０１２８】
この実施形態では、Ｓ３０１において、第１の時間−周波数リソースは、第１のサブフレーム内の物理ダウンリンク共有チャネルリソースの部分であってよい。詳細については、図１２に示される第１のサブフレーム（タイプ１）のリソースロケーションの構造の第４の概略図を参照のこと。図１２では、タイプ１サブフレームは、物理ダウンリンク制御チャネルリソースｃｔｒｌ（第２のインジケーション情報は、物理ダウンリンク共有チャネルリソースの一部分上で送信され得る）と、物理ダウンリンク共有チャネルリソースＤＬと、ガード間隔（ＧＰ）リソースＧＰと、ＰＵＣＣＨ上でフィードバック情報および参照信号を送信するために使用される時間−周波数リソースＵＬとを含む。この実施形態では、基地局は、第１のサブフレーム内の物理ダウンリンク共有チャネルリソースＤＬの一部分（図１２における短待ち時間（ｌｏｗ  ｌａｔｅｎｃｙ）部分）を第１の時間−周波数リソースとして第１のサービスを送るために使用し、物理ダウンリンク共有チャネルリソースＤＬの残りの部分（ＤＬ’）を第２の時間−周波数リソースとして第２のサービスを送るために使用する。
【０１２９】
Ｓ３０４：ＵＥが第１のサービスを受信する。
【０１３０】
任意選択で、また、図１２を参照すると、ＵＥはまた、図１２に示される第１のサブフレームの短待ち時間部分において第１のサービスを受信する。
【０１３１】
Ｓ３０５：ＵＥが、あらかじめ設定されたフィードバックサブフレームロケーションにおいて第１のフィードバック情報を基地局に送る。
【０１３２】
具体的には、あらかじめ設定されたフィードバックサブフレームロケーションは、ＵＥによって決定されてもよく、基地局によって決定された後、基地局によってＵＥに送られてもよい。具体的な決定様式については、前述の２つの可能な実装形態を参照のこと。詳細は、本明細書では再度説明されない。この実施形態では、ＵＥが第１のフィードバック情報を基地局に送るフィードバックサブフレームロケーションは、第１のサブフレーム内にありフィードバック情報を送信するために使用される時間−周波数リソースのロケーションである、すなわち、図１２に示される第１のサブフレーム内の時間−周波数リソースＵＬである。言い換えれば、第１のサービスを受信した後、ＵＥは、現在の第１のサブフレームが終わる前に現在の第１のサブフレームのアップリンク送信リソースを使用することによって第１のフィードバック情報を基地局に送ってよく、第１のフィードバック情報を別のサブフレーム内で送る必要はない。そのため、本発明のこの実施形態によれば、ＵＥによって基地局の第１のサービスにフィードバックするために使用される時間は大幅に減少され、そのため、第１のサービスのフィードバック待ち時間は短縮される。
【０１３３】
Ｓ３０６：基地局が第１のフィードバック情報を受信する。
【０１３４】
図１３は、本発明の第４の実施形態によるサービスフィードバック方法の概略フローチャートである。この実施形態は、図４に示される新しいフレーム構造を使用するシステムに適用可能である。この実施形態における第１のサブフレームは、タイプ２サブフレームである。この実施形態は、ＵＥが、基地局によって送られた第１のサービスにフィードバックする別の特定のプロセスに関する。第１の通信デバイスはＵＥであり、第２の通信デバイスは基地局である。解決策を明確に理解するために、第１の通信デバイスはＵＥによって置き換えられ、第２の通信デバイスは基地局によって置き換えられる。図１３に示されるように、方法は、以下のステップを含む。
【０１３５】
Ｓ４０１：基地局が、第３のインジケーション情報をＵＥに送る。
【０１３６】
第３のインジケーション情報は、第１のサブフレームが第１のサービスを含むことをＵＥに示し、第１のサブフレーム内にありフィードバック情報を送信するために使用される時間−周波数リソース上で第１のサービスを受信するようにＵＥに指示する、すなわち、第１の時間−周波数リソース上で第１のサービスを受信するようにＵＥに指示するために使用される（すなわち、基地局が第１の時間−周波数リソース上で第１のサービスを送り、それに対応して、ＵＥもまた、第１の時間−周波数リソース上で第１のサービスを受信する）。任意選択で、基地局は、第３のインジケーション情報をＰＤＣＣＨ上でＵＥに送ってよい。
【０１３７】
Ｓ４０２：ＵＥが、第３のインジケーション情報を受信する。
【０１３８】
具体的には、第３のインジケーション情報を受信した後、ＵＥは、第３のインジケーション情報により、第１の時間−周波数リソース上で第１のサービスを受信することを決定してよい。
【０１３９】
Ｓ４０３：基地局が、第１のサービスを第１の時間−周波数リソース上でＵＥに送る。
【０１４０】
この実施形態では、第１の時間−周波数リソースは、Ｓ４０１においてフィードバック情報を送信するために使用される時間−周波数リソースであってよい。詳細については、図１４に示される第１のサブフレーム（タイプ２）のリソースロケーションの構造の第５の概略図を参照のこと。図１４では、タイプ２サブフレームは、物理ダウンリンク制御チャネルリソースｃｔｒｌ（第３のインジケーション情報は、物理ダウンリンク共有チャネルリソースの一部分上で送信され得る）と、フィードバック情報およびダウンリンクインジケーション情報（ＰＤＣＣＨ情報など）を送信するために使用される時間−周波数リソースＤＬと、ガード間隔（ＧＰ）リソースＧＰと、物理アップリンク共有チャネルリソースＵＬとを含む。この実施形態では、基地局は、第１のサブフレーム内にありフィードバック情報を送信するために使用される時間−周波数リソースＤＬ（図１４における短待ち時間部分）を第１の時間−周波数リソースとして使用して、第１のサービスを送る。
【０１４１】
Ｓ４０４：ＵＥが第１のサービスを受信する。
【０１４２】
任意選択で、また、図１４を参照すると、ＵＥはまた、第１のサブフレーム内にあり図１４に示されるフィードバック情報を送信するために使用される時間−周波数リソースＤＬ上で第１のサービスを受信する。
【０１４３】
Ｓ４０５：ＵＥが、あらかじめ設定されたフィードバックサブフレームロケーションにおいて第１のフィードバック情報を基地局に送る。
【０１４４】
具体的には、あらかじめ設定されたフィードバックサブフレームロケーションは、ＵＥによって決定されてもよく、基地局によって決定された後、基地局によってＵＥに送られてもよい。具体的な決定様式については、前述の２つの可能な実装形態を参照のこと。詳細は、本明細書では再度説明されない。この実施形態では、ＵＥが第１のフィードバック情報を基地局に送るフィードバックサブフレームロケーションは、第１のサブフレーム内の物理アップリンク共有チャネルリソースのロケーション、すなわち、図１４に示される第１のサブフレーム内の物理アップリンク共有チャネルリソースＵＬである。言い換えれば、第１のサービスを受信した後、ＵＥは、現在の第１のサブフレームが終わる前に現在の第１のサブフレームのアップリンク送信リソースを使用することによって第１のフィードバック情報を基地局に送ってよく、第１のフィードバック情報を別のサブフレーム内で送る必要はない。そのため、本発明のこの実施形態によれば、ＵＥによって基地局の第１のサービスにフィードバックするために使用される時間は大幅に減少され、そのため、第１のサービスのフィードバック待ち時間は短縮される。
【０１４５】
Ｓ４０６：基地局が第１のフィードバック情報を受信する。
【０１４６】
結論として、前述の第２の実施形態から第４の実施形態はすべて、第１の通信デバイスがＵＥであり第２の通信デバイスが基地局であるダウンリンクフィードバックプロセスに関する。以下の実施形態は、第１の通信デバイスが基地局であり第２の通信デバイスがＵＥであるアップリンクフィードバックプロセスについて説明する。解決策を明確に理解するために、第１の通信デバイスは基地局によって置き換えられ、第２の通信デバイスはＵＥによって置き換えられる。
【０１４７】
図１５は、本発明の第５の実施形態によるサービスフィードバック方法の概略フローチャートである。この実施形態は、図４に示される新しいフレーム構造を使用しないシステムに適用可能であり、この実施形態は、基地局が、ＵＥによって送られた第１のサービスにフィードバックするプロセスに関する。図１５に示されるように、方法は、以下のステップを含む。
【０１４８】
Ｓ５０１：基地局が、第４のインジケーション情報をＵＥに送る。
【０１４９】
第４のインジケーション情報は、第１のサブフレーム内の第１の時間−周波数リソース上で第１のサービスを送るようにＵＥに指示するために使用される。任意選択で、基地局は、第４のインジケーション情報をＵＥにＰＤＣＣＨ上で送ってよい。第４のインジケーション情報は、アップリンクスケジューリンググラント（ＵＬグラント）情報であってよい。この実施形態では、第１の時間−周波数リソースは、第１のサブフレーム内の物理アップリンク制御チャネルリソースであってよく、基地局によって第２のサービスを送るために使用される第２の時間−周波数リソースは、第１のサブフレーム内の物理アップリンク共有チャネルリソースである（図１６に示される第１のサブフレームのリソースロケーションの構造の第６の概略図を参照のこと）。代替的に、第１の時間−周波数リソースは、第１のサブフレーム内の物理アップリンク共有チャネルリソースの一部分であり、基地局によって第２のサービスを送るために使用される第２の時間−周波数リソースは、第１のサブフレーム内の物理アップリンク共有チャネルリソースの残りの部分である（図１７に示される第１のサブフレームのリソースロケーションの構造の第７の概略図を参照のこと）。代替的に、第１の時間−周波数リソースは、第１のサブフレーム内の物理アップリンク制御チャネルリソースの一部分および第１のサブフレーム内の物理アップリンク共有チャネルリソースの一部分であり、基地局によって第２のサービスを送るために使用される第２の時間−周波数リソースは、第１のサブフレーム内の物理アップリンク共有チャネルリソースの残りの部分である（図１８に示される第１のサブフレームのリソースロケーションの構造の第８の概略図を参照のこと）。
【０１５０】
Ｓ５０２：ＵＥが、第４のインジケーション情報を受信する。
【０１５１】
Ｓ５０３：ＵＥが、第４のインジケーション情報により、第１のサービスを基地局に第１の時間−周波数リソース上で送る。
【０１５２】
Ｓ５０４：基地局が、ＵＥによって送られた第１のサービスを受信する。
【０１５３】
Ｓ５０５：基地局が、あらかじめ設定されたフィードバックサブフレームロケーションにおいて第１のフィードバック情報をＵＥに送る。
【０１５４】
具体的には、あらかじめ設定されたフィードバックサブフレームロケーションは、基地局によって決定されてもよく、ＵＥによって決定され、基地局に通知されてもよい。具体的な決定様式については、前述の２つの可能な実装形態を参照されたい。詳細は、本明細書では再度説明されない。この実施形態では、基地局が第１のフィードバック情報をＵＥに送るフィードバックサブフレームロケーションは、無線フレーム内で、ダウンリンク送信リソースを有し、第１のサブフレームに最も近く、フィードバック情報を送信することができるサブフレームである。たとえば、図１９に示される無線フレームの構造の第２の概略図を参照すると、第１のサブフレームはサブフレーム７であり、基地局によって送られた第４のインジケーション情報によりＵＥによって学習される第１の時間−周波数リソースは、サブフレーム７の第１の部分に対応し、ＵＥが、この部分上で第１のサービスを送る。フィードバックサブフレームロケーションはサブフレーム８内に配置される、すなわち、基地局は、第１のフィードバック情報をサブフレーム８内で送る。サブフレーム７とサブフレーム８との間の時間間隔が、第１のタイミングである。ＵＥは、時間−周波数リソース上で第２のサービスを送り、時間−周波数リソースはサブフレーム７の第２の半分部分内にある、すなわち、サブフレーム７における、第２の時間−周波数リソースのロケーションは、サブフレーム７の第２の半分部分である。第３の時間−周波数リソースに対応するサブフレームロケーションは、次の無線フレームのサブフレーム１内に配置される。第２の時間−周波数リソースに対応するサブフレームロケーションと第３の時間−周波数リソースに対応するサブフレームロケーションとの間の時間間隔が、第２のタイミングである。第２のタイミングは、従来のサービスのフィードバック機構のためのものである。図１９から、第１のタイミングは第２のタイミングよりも短いことがわかり得る。したがって、本発明のこの実施形態において提供されるサービスフィードバック方法によれば、第１のサブフレーム内の時間−周波数リソースは、第１のサービスのフィードバック待ち時間を大幅に短縮するように再度割り振られる。任意選択で、無線フレーム内の、ダウンリンク送信リソースを有し、第１のサブフレームに最も近く、フィードバック情報を送信することができる任意のサブフレームは、フィードバックサブフレームロケーションとして使用されてよい。たとえば、図１９におけるサブフレーム８が、フィードバック情報を送信することができるダウンリンク送信リソースを有しないとき、サブフレーム９は、第１のタイミングが第２のタイミングよりも短い限り、フィードバックサブフレームロケーションとして使用されてよい。確かに、この実施形態における実際の例では、サブフレーム８内でフィードバック情報を送信するために使用可能なアップリンク送信リソースがあり、そのため、サブフレーム７に最も近いサブフレーム８が、フィードバックサブフレームロケーションとして使用される。
【０１５５】
Ｓ５０６：ＵＥが、第１のフィードバック情報を受信する。
【０１５６】
図２０は、本発明の第６の実施形態によるサービスフィードバック方法のシグナリングフローチャートである。この実施形態は、図４に示される新しいフレーム構造を使用するシステムに適用可能である。この実施形態における第１のサブフレームは、タイプ１サブフレームである。この実施形態は、基地局が、ＵＥによって送られた第１のサービスにフィードバックする別の特定のプロセスに関する。図２０に示されるように、方法は、以下のステップを含む。
【０１５７】
Ｓ６０１：基地局が、第５のインジケーション情報をＵＥに送る。
【０１５８】
第５のインジケーション情報は、第１の時間−周波数リソースが、第１のサブフレーム内にありフィードバック情報を送信するために使用される時間−周波数リソースであることをＵＥに示す、すなわち、第１のサブフレーム内にありフィードバック情報を送信するために使用される時間−周波数リソース上で第１のサービスを送るようにＵＥに指示するために使用される。任意選択で、基地局は、第５のインジケーション情報をＵＥにＰＤＣＣＨ上で送ってよい。第５のインジケーション情報は、アップリンクスケジューリンググラント（ＵＬグラント）情報であってよい。
【０１５９】
この実施形態における第１の時間−周波数リソースについては、図２１に示される第１のサブフレーム（タイプ１）のリソースロケーションの構造の第９の概略図を参照のこと。図２１では、タイプ１サブフレームは、物理ダウンリンク制御チャネルリソースｃｔｒｌ（第５のインジケーション情報は、物理ダウンリンク共有チャネルリソースの一部分上で送信され得る）と、物理ダウンリンク共有チャネルリソースＤＬと、ガード間隔（ＧＰ）リソースＧＰと、ＰＵＣＣＨ上でフィードバック情報および参照信号を送信するために使用される時間−周波数リソースＵＬとを含む。この実施形態では、ＵＥは、第１のサブフレーム内の時間−周波数リソースＵＬを第１の時間−周波数リソースとして使用して、第１のサービスを送る（図２１における短待ち時間（ｌｏｗ  ｌａｔｅｎｃｙ）部分）。
【０１６０】
Ｓ６０２：ＵＥが、第５のインジケーション情報を受信する。
【０１６１】
Ｓ６０３：ＵＥが、第１のサービスを第１の時間−周波数リソース上で基地局に送る。
【０１６２】
Ｓ６０４：基地局が第１のサービスを受信する。
【０１６３】
Ｓ６０５：基地局が、あらかじめ設定されたフィードバックサブフレームロケーションにおいて第１のフィードバック情報をＵＥに送る。
【０１６４】
具体的には、あらかじめ設定されたフィードバックサブフレームロケーションは、基地局によって決定されてもよく、ＵＥによって決定され、基地局に送られてもよい。具体的な決定様式については、前述の２つの可能な実装形態を参照のこと。詳細は、本明細書では再度説明されない。この実施形態では、基地局が第１のフィードバック情報をＵＥに送るフィードバックサブフレームロケーションは、第１のサブフレームの次の次のサブフレーム、すなわち、図２１に示されるフィードバックサブフレームロケーションである。すなわち、ＵＥは、現在の第１のサブフレームの末尾においてアップリンク送信リソースを使用することによってアップリンクデータを送信してよく、１つのアップリンクサブフレームがアップリンクデータを送信するのを待機する必要はない。このようにして、基地局は、第１のサブフレームの次の次のサブフレーム内で第１のフィードバック情報を送ることを完了してよく、従来のサービス（すなわち、第２のサービス）と同じ様式で少なくとも４つのサブフレームを待機した後、フィードバック情報を送る必要はない。そのため、本発明のこの実施形態において提供される方法によれば、第１のサービスのリソース再使用ロケーションは、ＵＥによって基地局の第１のサービスにフィードバックするために使用される時間を大幅に減少させるように定義され、したがって、第１のサービスのフィードバック待ち時間は短縮され、短待ち時間ユーザデータ送信が実施される。
【０１６５】
Ｓ６０６：ＵＥは、第１のサブフレームの次の次のサブフレームの物理ダウンリンク制御チャネルリソース上で第１のフィードバック情報を受信する。
【０１６６】
図２２は、本発明の第７の実施形態によるサービスフィードバック方法のシグナリングフローチャートである。この実施形態は、図４に示される新しいフレーム構造を使用するシステムに適用可能である。この実施形態における第１のサブフレームは、タイプ２サブフレームである。この実施形態は、基地局が、ＵＥによって送られた第１のサービスにフィードバックする別の特定のプロセスに関する。図２２に示されるように、方法は、以下のステップを含む。
【０１６７】
Ｓ７０１：基地局が、第６のインジケーション情報をＵＥに送る。
【０１６８】
第６のインジケーション情報は、第１の時間−周波数リソースが、第１のサブフレーム内の物理アップリンク共有チャネルリソースの一部分であることをＵＥに示す、すなわち、第１のサブフレーム内の物理アップリンク共有チャネルリソースの一部分上で第１のサービスを送るようにＵＥに指示するために使用される。任意選択で、基地局は、第６のインジケーション情報をＵＥにＰＤＣＣＨ上で送ってよい。第６のインジケーション情報は、アップリンクスケジューリンググラント（ＵＬグラント）情報であってよい。
【０１６９】
この実施形態における第１の時間−周波数リソースについては、図２３に示される第１のサブフレーム（タイプ２）のリソースロケーションの構造の第１０の概略図を参照のこと。図２３では、タイプ２サブフレームは、物理ダウンリンク制御チャネルリソースｃｔｒｌ（第６のインジケーション情報は、物理ダウンリンク共有チャネルリソースの一部分上で送信され得る）と、ガード間隔（ＧＰ）リソースＧＰと、物理アップリンク共有チャネルリソースＵＬとを含む。この実施形態では、ＵＥは、第１のサブフレーム内の物理アップリンク共有チャネルリソースＵＬの一部分（図２３における短待ち時間（ｌｏｗ  ｌａｔｅｎｃｙ）部分）を第１の時間−周波数リソースとして使用して、第１のサービスを送る。ＵＬ’は、物理アップリンク共有チャネルリソースの残りの部分である。
【０１７０】
Ｓ７０２：ＵＥが、第６のインジケーション情報を受信する。
【０１７１】
Ｓ７０３：ＵＥが、第１のサービスを第１の時間−周波数リソース上で基地局に送る。
【０１７２】
Ｓ７０４：基地局が第１のサービスを受信する。
【０１７３】
Ｓ７０５：基地局が、あらかじめ設定されたフィードバックサブフレームロケーションにおいて第１のフィードバック情報をＵＥに送る。
【０１７４】
具体的には、あらかじめ設定されたフィードバックサブフレームロケーションは、基地局によって決定されてもよく、ＵＥによって決定され、基地局に送られてもよい。具体的な決定様式については、前述の２つの可能な実装形態を参照のこと。詳細は、本明細書では再度説明されない。この実施形態では、基地局が第１のフィードバック情報をＵＥに送るフィードバックサブフレームロケーションは、第１のサブフレームの次の次のサブフレーム、すなわち、図２３に示されるフィードバックサブフレームロケーションである。フィードバックサブフレームロケーションと第１のサブフレーム内の第１の時間−周波数リソースに対応するサブフレームロケーションとの間の第１のタイミングは、２つのサブフレームの長さよりも短い。本発明のこの実施形態において提供される方法によれば、第１のサブフレーム内の物理アップリンク共有チャネルリソースのＵＬリソースを再使用することは、ＵＥによって基地局の第１のサービスにフィードバックするために使用される時間を大幅に減少させ、第１のサービスのフィードバック待ち時間を短縮する。
【０１７５】
Ｓ７０６：ＵＥは、第１のサブフレームの次の次のサブフレームの物理ダウンリンク制御チャネルリソース上で第１のフィードバック情報を受信する。
【０１７６】
任意選択で、第６の実施形態および第７の実施形態におけるフィードバックリソースロケーションは、アップリンク同期ＨＡＲＱ機構のために設計される。アップリンク非同期ＨＡＲＱ機構の場合、決定されるフィードバックサブフレームロケーションは、基地局が第１のサービスを受信した後で基地局によってスケジューリングにより決定されるサブフレームロケーションである。すなわち、アップリンク非同期ＨＡＲＱ機構において基地局がＵＥにフィードバックするプロセスは、第６の実施形態および第７の実施形態におけるそれに基本的に類似している。唯一の違いは、基地局が、第１の時間−周波数リソースおよび第１のマッピング関係によりサブフレームフィードバックロケーションを決定してよいが、基地局が、基地局の実際の状況により、そのロケーションにおいてフィードバックを実行しないことを選び、別のロケーションにおいて第１のフィードバック情報を送ることを選んでよいことにある。
【０１７７】
図２４は、本発明の第８の実施形態によるサービスフィードバック方法のシグナリングフローチャートである。この実施形態は、図４に示される新しいフレーム構造を使用するシステムに適用可能である。この実施形態における第１のサブフレームは、タイプ２サブフレームである。この実施形態は、基地局が、ＵＥによって送られた第１のサービスにフィードバックする別の特定のプロセスに関する。図２４に示されるように、方法は、以下のステップを含む。
【０１７８】
Ｓ８０１：基地局が、第７のインジケーション情報をＵＥに、第１のサブフレームの前のサブフレームにおいて送る。
【０１７９】
第７のインジケーション情報は、第１の時間−周波数リソースが、第１のサブフレーム内の物理アップリンク共有チャネルリソースの一部分であることをＵＥに示す、すなわち、第１のサブフレーム内の物理アップリンク共有チャネルリソースの一部分上で第１のサービスを送るようにＵＥに指示するために使用される。任意選択で、基地局は、ＰＤＣＣＨを使用して、第７のインジケーション情報を前のサブフレームの物理ダウンリンク制御チャネルリソース上でＵＥに送ってよい。第７のインジケーション情報は、アップリンクスケジューリンググラント（ＵＬグラント）情報であってよい。
【０１８０】
この実施形態における第１の時間−周波数リソースについては、図２５に示される第１のサブフレーム（タイプ２）のリソースロケーションの構造の第１１の概略図を参照のこと。図２５では、タイプ２サブフレームは、物理ダウンリンク制御チャネルリソースｃｔｒｌ（第７のインジケーション情報が、図２５に示される前のサブフレームの物理ダウンリンク制御チャネルリソース上で送信される）と、ガード間隔（ＧＰ）リソースＧＰと、物理アップリンク共有チャネルリソースＵＬとを含む。この実施形態では、ＵＥは、第１のサブフレーム内の物理アップリンク共有チャネルリソースＵＬの一部分（図２５における短待ち時間（ｌｏｗ  ｌａｔｅｎｃｙ）部分）を第１の時間−周波数リソースとして使用して、第１のサービスを送る。ＵＬ’は、物理アップリンク共有チャネルリソースの残りの部分である。
【０１８１】
Ｓ８０２：ＵＥが、第７のインジケーション情報を受信する。
【０１８２】
Ｓ８０３：ＵＥが、第１のサービスを第１の時間−周波数リソース上で基地局に送る。
【０１８３】
Ｓ８０４：基地局が第１のサービスを受信する。
【０１８４】
Ｓ８０５：基地局が、あらかじめ設定されたフィードバックサブフレームロケーションにおいて第１のフィードバック情報をＵＥに送る。
【０１８５】
具体的には、あらかじめ設定されたフィードバックサブフレームロケーションは、基地局によって決定されてもよく、ＵＥによって決定され、基地局に送られてもよい。具体的な決定様式については、前述の２つの可能な実装形態を参照のこと。詳細は、本明細書では再度説明されない。この実施形態では、基地局が第１のフィードバック情報をＵＥに送るフィードバックサブフレームロケーションは、第１のサブフレームの次のサブフレーム、すなわち、図２５に示されるフィードバックサブフレームロケーションである。フィードバックサブフレームロケーションと第１のサブフレーム内の第１の時間−周波数リソースに対応するサブフレームロケーションとの間の第１のタイミングは、２つのサブフレームの長さよりも短い。本発明のこの実施形態において提供される方法によれば、第１のサブフレーム内の物理アップリンク共有チャネルリソースのＵＬリソースを再使用することは、ＵＥによって基地局の第１のサービスにフィードバックするために使用される時間を大幅に減少させ、第１のサービスのフィードバック待ち時間を短縮する。
【０１８６】
Ｓ８０６：ＵＥは、第１のサブフレームの次のサブフレームの物理ダウンリンク制御チャネルリソース上で第１のフィードバック情報を受信する。
【０１８７】
任意選択で、第８の実施形態におけるフィードバックリソースロケーションは、アップリンク同期ＨＡＲＱ機構のために設計される。アップリンク非同期ＨＡＲＱ機構の場合、決定されるフィードバックサブフレームロケーションは、基地局が第１のサービスを受信した後で基地局によってスケジューリングにより決定されるサブフレームロケーションである。すなわち、アップリンク非同期ＨＡＲＱ機構において基地局がＵＥにフィードバックするプロセスは、第８の実施形態におけるそれに基本的に類似している。唯一の違いは、基地局が、第１の時間−周波数リソースおよび第１のマッピング関係によりサブフレームフィードバックロケーションを決定してよいが、基地局が、基地局の実際の状況により、そのロケーションにおいてフィードバックを実行しないことを選び、別のロケーションにおいて第１のフィードバック情報を送ることを選んでよいことにある。
【０１８８】
本発明のこの実施形態において提供されるサービスフィードバック方法によれば、第２の通信デバイスは、第１のサービスを第１の時間−周波数リソース上で第１の通信デバイスに送り、したがって、第１の通信デバイスは、第１のサービスを受信した後、第１のサービスを処理するのに十分な時間を有する。第１のサブフレーム内の時間−周波数リソースが再度割り振られ、第１の通信デバイスは、第１のサービスを送ることと第１のサービスに対応する第１のフィードバック情報を受信することとの間の待ち時間（すなわち、第１のタイミング）が、第２のサービスを送ることと第２のサービスに対応する第２のフィードバック情報を受信することとの間の待ち時間（すなわち、第２のタイミング）よりも短い、すなわち、従来のサービスのフィードバック待ち時間よりも短いことを確実にするように、あらかじめ設定されたフィードバックサブフレームロケーションにおいて第１のフィードバック情報を第２の通信デバイスに送ってよい。そのため、本発明の実施形態において提供されるサービスフィードバック方法により、データを送ることから短待ち時間サービスのフィードバックまでの期間が短縮され、短待ち時間サービスの短待ち時間要件が満たされる。
【０１８９】
当業者は、方法実施形態のステップのすべてまたはいくつかが、関連ハードウェアに指示するプログラムによって実施されてよいことを理解し得る。プログラムは、コンピュータ可読記憶媒体内に記憶されてよい。プログラムが実行するとき、方法実施形態のステップが実行される。前述の記憶媒体は、ＲＯＭ、ＲＡＭ、磁気ディスク、または光ディスクなどの、プログラムコードを記憶することができる任意の媒体を含む。
【０１９０】
図２６は、本発明の第１の実施形態による通信デバイスの構造の概略図である。通信デバイスは、前述の方法実施形態における第１の通信デバイスであってよく、通信デバイスは、基地局またはＵＥであってよい。図２６に示されるように、通信デバイスは、受信モジュール１１と、送出モジュール１２とを含む。
【０１９１】
受信モジュール１１は、第１のサブフレーム内の第１の時間−周波数リソース上で第２の通信デバイスによって送られた第１のサービスを受信するように構成される。第１の時間−周波数リソースは、第１のサブフレーム内の物理制御チャネルリソース、第１のサブフレーム内の物理共有チャネルリソース、またはフィードバックリソースのうちの少なくとも１つを含む。
【０１９２】
送出モジュール１２は、あらかじめ設定されたフィードバックサブフレームロケーションにおいて、第１のサービスに対応する第１のフィードバック情報を送るように構成される。第１のサブフレーム内の第１の時間−周波数リソースに対応するサブフレームロケーションとフィードバックサブフレームロケーションとの間の間隔が、第１のタイミングである。第２の通信デバイスによって第２のサービスを送るために使用される第２の時間−周波数リソースに対応するサブフレームロケーションと通信デバイスによって第２のフィードバック情報を第２の通信デバイスに送るために使用される第３の時間−周波数リソースに対応するサブフレームロケーションとの間の間隔が、第２のタイミングである。第１のタイミングは、第２のタイミングよりも短い。
【０１９３】
さらに、第１のタイミングは、２つのサブフレームの長さよりも短い。物理制御チャネルリソースは、第１のサブフレーム内の物理ダウンリンク制御チャネルリソースと物理アップリンク制御チャネルリソースとを含む。物理共有チャネルリソースは、第１のサブフレーム内の物理ダウンリンク共有チャネルリソースと物理アップリンク共有チャネルリソースとを含む。フィードバックリソースは、第１のサブフレーム内にありフィードバック情報を送信するために使用される時間−周波数リソースを含む。
【０１９４】
図２７は、本発明の第２の実施形態による通信デバイスの構造の概略図である。図２６に示される実施形態に基づいて、通信デバイスは、
送出モジュール１２が、あらかじめ設定されたフィードバックサブフレームロケーションにおいて、第１のサービスに対応する第１のフィードバック情報を送る前に、第１のサービスのタイプ、第１のサービスのサイズ、および第１のマッピング関係によりフィードバックサブフレームロケーションを決定するように構成された処理モジュール１３であって、第１のマッピング関係は第１の時間−周波数リソースと第１のタイミングとの間の対応を含む、処理モジュール１３
をさらに含む。
【０１９５】
任意選択で、受信モジュール１１は、送出モジュール１２が、あらかじめ設定されたフィードバックサブフレームロケーションにおいて、第１のサービスに対応する第１のフィードバック情報を送る前に、第２の通信デバイスによって第１のサービスのタイプ、第１のサービスのサイズ、および第１のマッピング関係により決定されたフィードバックサブフレームロケーションを受信するようにさらに構成される。第１のマッピング関係は、第１の時間−周波数リソースと第１のタイミングとの間の対応を含む。
【０１９６】
任意選択で、通信デバイスはユーザ機器ＵＥであり、第２の通信デバイスは基地局である。第１の時間−周波数リソースは第１のサブフレーム内の物理ダウンリンク制御チャネルリソースであり、第２の時間−周波数リソースは第１のサブフレーム内の物理ダウンリンク共有チャネルリソースであり；または、第１の時間−周波数リソースは物理ダウンリンク共有チャネルリソースの一部分であり、第２の時間−周波数リソースは物理ダウンリンク共有チャネルリソースの残りの部分であり；または、第１の時間−周波数リソースは物理ダウンリンク制御チャネルリソースの一部分および物理ダウンリンク共有チャネルリソースの一部分であり、第２の時間−周波数リソースは物理ダウンリンク共有チャネルリソースの残りの部分である。
【０１９７】
受信モジュール１１は、第１のサブフレーム内の第１の時間−周波数リソース上で第２の通信デバイスによって送られた第１のサービスを受信する前に、第２の通信デバイスによって送られた第１のインジケーション情報を受信するようにさらに構成される。第１のインジケーション情報は、第１のサブフレームが第１のサービスを含むことを通信デバイスに示すために使用される。フィードバックサブフレームロケーションは、無線フレーム内の、アップリンク送信リソースを有し、第１のサブフレームに最も近く、フィードバック情報を送信することができるサブフレームである。
【０１９８】
任意選択で、通信デバイスはユーザ機器ＵＥであり、第２の通信デバイスは基地局であり、第１のサブフレームはタイプ１サブフレームである。受信モジュール１１は、第１のサブフレーム内の第１の時間−周波数リソース上で第２の通信デバイスによって送られた第１のサービスを受信する前に、第２の通信デバイスによって送られた第２のインジケーション情報を受信するようにさらに構成される。第２のインジケーション情報は、第１のサブフレームが第１のサービスを含むことを通信デバイスに示すために、および物理ダウンリンク共有チャネルリソースの時間−周波数リソースの一部分上で第１のサービスを受信するように通信デバイスに指示するために使用される。フィードバックサブフレームロケーションは、第１のサブフレーム内の、フィードバック情報を送信するために使用される時間−周波数リソースのロケーションである。
【０１９９】
任意選択で、通信デバイスはユーザ機器ＵＥであり、第２の通信デバイスは基地局であり、第１のサブフレームはタイプ２サブフレームである。第１の時間−周波数リソースは、第１のサブフレーム内にありフィードバック情報を送信するために使用される時間−周波数リソースである。受信モジュール１１は、第１のサブフレーム内の第１の時間−周波数リソース上で第２の通信デバイスによって送られた第１のサービスを受信する前に、第２の通信デバイスによって送られた第３のインジケーション情報を受信するようにさらに構成される。第３のインジケーション情報は、第１のサブフレームが第１のサービスを含むことを通信デバイスに示すために、および第１のサブフレーム内にありフィードバック情報を送信するために使用される時間−周波数リソース上で第１のサービスを受信するように通信デバイスに指示するために使用される。フィードバックサブフレームロケーションは、第１のサブフレーム内の、物理アップリンク共有チャネルリソースのロケーションである。
【０２００】
任意選択で、通信デバイスは基地局であり、第２の通信デバイスはユーザ機器ＵＥである。第１の時間−周波数リソースは第１のサブフレーム内の物理アップリンク制御チャネルリソースであり、第２の時間−周波数リソースは第１のサブフレーム内の物理アップリンク共有チャネルリソースであり；または、第１の時間−周波数リソースは物理アップリンク共有チャネルリソースの一部分であり、第２の時間−周波数リソースは物理アップリンク共有チャネルリソースの残りの部分であり；または、第１の時間−周波数リソースは物理アップリンク制御チャネルリソースの一部分および物理アップリンク共有チャネルリソースの一部分であり、第２の時間−周波数リソースは物理アップリンク共有チャネルリソースの残りの部分である。
【０２０１】
送出モジュール１２は、受信モジュール１１が第１のサブフレーム内の第１の時間−周波数リソース上で第２の通信デバイスによって送られた第１のサービスを受信する前に、第４のインジケーション情報を第２の通信デバイスに送るようにさらに構成される。第４のインジケーション情報は、第１のサブフレーム内の第１の時間−周波数リソース上で第１のサービスを送るように第２の通信デバイスに指示するために使用される。フィードバックサブフレームロケーションは、ダウンリンク送信リソースを有し、第１のサブフレームに最も近く、フィードバック情報を送信することができるサブフレームである。
【０２０２】
任意選択で、通信デバイスは基地局であり、第２の通信デバイスはユーザ機器ＵＥであり、第１のサブフレームはタイプ１サブフレームである。送出モジュール１２は、受信モジュール１１が第１のサブフレーム内の第１の時間−周波数リソース上で第２の通信デバイスによって送られた第１のサービスを受信する前に、第５のインジケーション情報を第２の通信デバイスに送るようにさらに構成される。第５のインジケーション情報は、第１の時間−周波数リソースが、第１のサブフレーム内にありフィードバック情報を送信するために使用される時間−周波数リソースであることを第２の通信デバイスに示すために使用される。フィードバックサブフレームロケーションは、第１のサブフレームの次の次のサブフレームである。
【０２０３】
任意選択で、通信デバイスは基地局であり、第２の通信デバイスはユーザ機器ＵＥであり、第１のサブフレームはタイプ２サブフレームである。送出モジュール１２は、受信モジュール１１が第１のサブフレーム内の第１の時間−周波数リソース上で第２の通信デバイスによって送られた第１のサービスを受信する前に、第６のインジケーション情報を第２の通信デバイスに送るようにさらに構成される。第６のインジケーション情報は、第１の時間−周波数リソースが第１のサブフレーム内の物理アップリンク共有チャネルリソースの一部分であることを第２の通信デバイスに示すために使用される。フィードバックサブフレームロケーションは、第１のサブフレームの次の次のサブフレームである。
【０２０４】
任意選択で、通信デバイスは基地局であり、第２の通信デバイスはユーザ機器ＵＥであり、第１のサブフレームはタイプ２サブフレームである。送出モジュール１２は、受信モジュール１１が第１のサブフレーム内の第１の時間−周波数リソース上で第２の通信デバイスによって送られた第１のサービスを受信する前に、第７のインジケーション情報を第２の通信デバイスに第１のサブフレームの前のサブフレーム内で送るようにさらに構成される。第７のインジケーション情報は、第１の時間−周波数リソースが第１のサブフレーム内の物理アップリンク共有チャネルリソースの一部分であることを第２の通信デバイスに示すために使用される。フィードバックサブフレームロケーションは、第１のサブフレームの次のサブフレームである。
【０２０５】
本発明のこの実施形態において提供される通信デバイスは、前述の方法実施形態を行ってよい。実装原理およびその技術的影響は類似であり、詳細は、本明細書では再度説明されない。
【０２０６】
図２８は、本発明の第３の実施形態による通信デバイスの構造の概略図である。通信デバイスは、前述の方法実施形態における第２の通信デバイスであってよく、通信デバイスは、基地局またはＵＥであってよい。通信デバイスは、送出モジュール２１と、受信モジュール２２とを含む。送出モジュール２１は、第１のサービスを第１のサブフレーム内の第１の時間−周波数リソース上で第１の通信デバイスに送るように構成される。第１の時間−周波数リソースは、第１のサブフレーム内の物理制御チャネルリソース、第１のサブフレーム内の物理共有チャネルリソース、またはフィードバックリソースのうちの少なくとも１つを含む。
【０２０７】
受信モジュール２２は、第１のサービスに対応しあらかじめ設定されたフィードバックサブフレームロケーションにおいて第１の通信デバイスによって送られる第１のフィードバック情報を受信するように構成される。第１のサブフレーム内の第１の時間−周波数リソースに対応するサブフレームロケーションとフィードバックサブフレームロケーションとの間の間隔が、第１のタイミングである。通信デバイスによって第２のサービスを送るために使用される第２の時間−周波数リソースに対応するサブフレームロケーションと第１の通信デバイスによって第２のフィードバック情報を通信デバイスに送るために使用される第３の時間−周波数リソースに対応するサブフレームロケーションとの間の間隔が、第２のタイミングである。第１のタイミングは、第２のタイミングよりも短い。
【０２０８】
さらに、第１のタイミングは、２つのサブフレームの長さよりも短い。物理制御チャネルリソースは、第１のサブフレーム内の物理ダウンリンク制御チャネルリソースと物理アップリンク制御チャネルリソースとを含む。物理共有チャネルリソースは、第１のサブフレーム内の物理ダウンリンク共有チャネルリソースと物理アップリンク共有チャネルリソースとを含む。フィードバックリソースは、第１のサブフレーム内にありフィードバック情報を送信するために使用される時間−周波数リソースを含む。
【０２０９】
図２９は、本発明の第４の実施形態による通信デバイスの構造の概略図である。図２７に示される実施形態に基づいて、通信デバイスは、
受信モジュール２２が、第１のサービスに対応し、あらかじめ設定されたフィードバックサブフレームロケーションにおいて第１の通信デバイスによって送られた第１のフィードバック情報を受信する前に、第１のサービスのタイプ、第１のサービスのサイズ、および第１のマッピング関係により、フィードバックサブフレームロケーションを決定するように構成された処理モジュール２３であって、第１のマッピング関係は第１の時間−周波数リソースと第１のタイミングとの間の対応を含む、処理モジュール２３
をさらに含む。
【０２１０】
送出モジュール２１は、フィードバックサブフレームロケーションを第１の通信デバイスに送り、フィードバックサブフレームロケーションにおいて第１のフィードバック情報を送るように第１の通信デバイスに指示するように構成される。
【０２１１】
任意選択で、第１の通信デバイスがユーザ機器ＵＥであり、通信デバイスが基地局である。第１の時間−周波数リソースは第１のサブフレーム内の物理ダウンリンク制御チャネルリソースであり、第２の時間−周波数リソースは第１のサブフレーム内の物理ダウンリンク共有チャネルリソースであり；または、第１の時間−周波数リソースは物理ダウンリンク共有チャネルリソースの一部分であり、第２の時間−周波数リソースは物理ダウンリンク共有チャネルリソースの残りの部分であり；または、第１の時間−周波数リソースは物理ダウンリンク制御チャネルリソースの一部分および物理ダウンリンク共有チャネルリソースの一部分であり、第２の時間−周波数リソースは物理ダウンリンク共有チャネルリソースの残りの部分である。
【０２１２】
送出モジュール２１は、第１のサービスを第１のサブフレーム内の第１の時間−周波数リソース上で第１の通信デバイスに送る前に、第１のインジケーション情報を第１の通信デバイスに送るようにさらに構成される。第１のインジケーション情報は、第１のサブフレームが第１のサービスを含むことを第１の通信デバイスに示すために使用される。フィードバックサブフレームロケーションは、無線フレーム内の、アップリンク送信リソースを有し、第１のサブフレームに最も近く、フィードバック情報を送信することができるサブフレームである。
【０２１３】
任意選択で、第１の通信デバイスはユーザ機器ＵＥであり、通信デバイスは基地局であり、第１のサブフレームはタイプ１サブフレームである。送出モジュール２１は、第１のサービスを第１のサブフレーム内の第１の時間−周波数リソース上で第１の通信デバイスに送る前に、第２のインジケーション情報を第１の通信デバイスに送るようにさらに構成される。第２のインジケーション情報は、第１のサブフレームが第１のサービスを含むことを第１の通信デバイスに示すために、および物理ダウンリンク共有チャネルリソースの一部分上で第１のサービスを受信するように第１の通信デバイスに指示するために使用される。フィードバックサブフレームロケーションは、第１のサブフレーム内の、フィードバック情報を送信するために使用される時間−周波数リソースのロケーションである。
【０２１４】
任意選択で、第１の通信デバイスはユーザ機器ＵＥであり、通信デバイスは基地局であり、第１のサブフレームはタイプ２サブフレームである。第１の時間−周波数リソースは、第１のサブフレーム内にありフィードバック情報を送信するために使用される時間−周波数リソースである。送出モジュール２１は、第１のサービスを第１のサブフレーム内の第１の時間−周波数リソース上で第１の通信デバイスに送る前に、第３のインジケーション情報を第１の通信デバイスに送るようにさらに構成される。第３のインジケーション情報は、第１のサブフレームが第１のサービスを含むことを第１の通信デバイスに示すために、および第１のサブフレーム内にありフィードバック情報を送信するために使用される時間−周波数リソース上で第１のサービスを受信するように第１の通信デバイスに指示するために使用される。フィードバックサブフレームロケーションは、第１のサブフレーム内の、物理アップリンク共有チャネルリソースのロケーションである。
【０２１５】
任意選択で、第１の通信デバイスは基地局であり、通信デバイスはユーザ機器ＵＥである。第１の時間−周波数リソースは第１のサブフレーム内の物理アップリンク制御チャネルリソースであり、第２の時間−周波数リソースは第１のサブフレーム内の物理アップリンク共有チャネルリソースであり；または、第１の時間−周波数リソースは物理アップリンク共有チャネルリソースの一部分であり、第２の時間−周波数リソースは物理アップリンク共有チャネルリソースの残りの部分であり；または、第１の時間−周波数リソースは物理アップリンク制御チャネルリソースの一部分および物理アップリンク共有チャネルリソースの一部分であり、第２の時間−周波数リソースは物理アップリンク共有チャネルリソースの残りの部分である。
【０２１６】
受信モジュール２２は、送出モジュール２１が、第１のサービスを第１のサブフレーム内の第１の時間−周波数リソース上で第１の通信デバイスに送る前に、第１の通信デバイスによって送られた第４のインジケーション情報を受信するようにさらに構成される。第４のインジケーション情報は、第１のサブフレーム内の第１の時間−周波数リソース上で第１のサービスを送るように通信デバイスに指示するために使用される。フィードバックサブフレームロケーションは、ダウンリンク送信リソースを有し、第１のサブフレームに最も近く、フィードバック情報を送信することができるサブフレームである。
【０２１７】
任意選択で、第１の通信デバイスは基地局であり、通信デバイスはユーザ機器ＵＥであり、第１のサブフレームはタイプ１サブフレームである。
【０２１８】
受信モジュール２２は、送出モジュール２１が、第１のサービスを第１のサブフレーム内の第１の時間−周波数リソース上で第１の通信デバイスに送る前に、第１の通信デバイスによって送られた第５のインジケーション情報を受信するようにさらに構成される。第５のインジケーション情報は、第１の時間−周波数リソースが、第１のサブフレーム内にありフィードバック情報を送信するために使用される時間−周波数リソースであることを通信デバイスに示すために使用される。フィードバックサブフレームロケーションは、第１のサブフレームの次の次のサブフレームである。
【０２１９】
任意選択で、第１の通信デバイスは基地局であり、通信デバイスはユーザ機器ＵＥであり、第１のサブフレームはタイプ２サブフレームである。受信モジュール２２は、送出モジュール２１が、第１のサービスを第１のサブフレーム内の第１の時間−周波数リソース上で第１の通信デバイスに送る前に、第１の通信デバイスによって送られた第６のインジケーション情報を受信するようにさらに構成される。第６のインジケーション情報は、第１の時間−周波数リソースが第１のサブフレーム内の物理アップリンク共有チャネルリソースの一部分であることを通信デバイスに示すために使用される。フィードバックサブフレームロケーションは、第１のサブフレームの次の次のサブフレームである。
【０２２０】
任意選択で、第１の通信デバイスは基地局であり、通信デバイスはユーザ機器ＵＥであり、第１のサブフレームはタイプ２サブフレームである。受信モジュール２２は、送出モジュール２１が、第１のサービスを第１のサブフレーム内の第１の時間−周波数リソース上で第１の通信デバイスに送る前に、第１の通信デバイスによって第１のサブフレームの前のサブフレーム内で送られた第７のインジケーション情報を受信するようにさらに構成される。第７のインジケーション情報は、第１の時間−周波数リソースが第１のサブフレーム内の物理アップリンク共有チャネルリソースの一部分であることを通信デバイスに示すために使用される。フィードバックサブフレームロケーションは、第１のサブフレームの次のサブフレームである。
【０２２１】
本発明のこの実施形態において提供される通信デバイスは、前述の方法実施形態を行ってよい。実装原理およびその技術的影響は類似であり、詳細は、本明細書では再度説明されない。
【０２２２】
図３０は、本発明の第５の実施形態による通信デバイスの構造の概略図である。通信デバイスは、前述の方法実施形態における第１の通信デバイスであってよく、通信デバイスは、基地局またはＵＥであってよい。図３０に示されるように、通信デバイスは、受信機３１と、送信機３２とを含む。
【０２２３】
受信機３１は、第１のサブフレーム内の第１の時間−周波数リソース上で第２の通信デバイスによって送られた第１のサービスを受信するように構成される。第１の時間−周波数リソースは、第１のサブフレーム内の物理制御チャネルリソース、第１のサブフレーム内の物理共有チャネルリソース、またはフィードバックリソースのうちの少なくとも１つを含む。
【０２２４】
送信機３２は、あらかじめ設定されたフィードバックサブフレームロケーションにおいて、第１のサービスに対応する第１のフィードバック情報を送るように構成される。第１のサブフレーム内の第１の時間−周波数リソースに対応するサブフレームロケーションとフィードバックサブフレームロケーションとの間の間隔が、第１のタイミングである。第２の通信デバイスによって第２のサービスを送るために使用される第２の時間−周波数リソースに対応するサブフレームロケーションと通信デバイスによって第２のフィードバック情報を第２の通信デバイスに送るために使用される第３の時間−周波数リソースに対応するサブフレームロケーションとの間の間隔が、第２のタイミングである。第１のタイミングは、第２のタイミングよりも短い。
【０２２５】
さらに、第１のタイミングは、２つのサブフレームの長さよりも短い。物理制御チャネルリソースは、第１のサブフレーム内の物理ダウンリンク制御チャネルリソースと物理アップリンク制御チャネルリソースとを含む。物理共有チャネルリソースは、第１のサブフレーム内の物理ダウンリンク共有チャネルリソースと物理アップリンク共有チャネルリソースとを含む。フィードバックリソースは、第１のサブフレーム内にありフィードバック情報を送信するために使用される時間−周波数リソースを含む。
【０２２６】
図３１は、本発明の第６の実施形態による通信デバイスの構造の概略図である。図３０に示される実施形態に基づいて、通信デバイスは、
送信機３２が、あらかじめ設定されたフィードバックサブフレームロケーションにおいて、第１のサービスに対応する第１のフィードバック情報を送る前に、第１のサービスのタイプ、第１のサービスのサイズ、および第１のマッピング関係によりフィードバックサブフレームロケーションを決定するように構成されたプロセッサ３３であって、第１のマッピング関係は第１の時間−周波数リソースと第１のタイミングとの間の対応を含む、プロセッサ３３
をさらに含む。
【０２２７】
任意選択で、受信機３１は、送信機３２が、あらかじめ設定されたフィードバックサブフレームロケーションにおいて、第１のサービスに対応する第１のフィードバック情報を送る前に、第２の通信デバイスによって第１のサービスのタイプ、第１のサービスのサイズ、および第１のマッピング関係により決定されたフィードバックサブフレームロケーションを受信するようにさらに構成される。第１のマッピング関係は、第１の時間−周波数リソースと第１のタイミングとの間の対応を含む。
【０２２８】
任意選択で、通信デバイスはユーザ機器ＵＥであり、第２の通信デバイスは基地局である。第１の時間−周波数リソースは第１のサブフレーム内の物理ダウンリンク制御チャネルリソースであり、第２の時間−周波数リソースは第１のサブフレーム内の物理ダウンリンク共有チャネルリソースであり；または、第１の時間−周波数リソースは物理ダウンリンク共有チャネルリソースの一部分であり、第２の時間−周波数リソースは物理ダウンリンク共有チャネルリソースの残りの部分であり；または、第１の時間−周波数リソースは物理ダウンリンク制御チャネルリソースの一部分および物理ダウンリンク共有チャネルリソースの一部分であり、第２の時間−周波数リソースは物理ダウンリンク共有チャネルリソースの残りの部分である。
【０２２９】
受信機３１は、第１のサブフレーム内の第１の時間−周波数リソース上で第２の通信デバイスによって送られた第１のサービスを受信する前に、第２の通信デバイスによって送られた第１のインジケーション情報を受信するようにさらに構成される。第１のインジケーション情報は、第１のサブフレームが第１のサービスを含むことを通信デバイスに示すために使用される。フィードバックサブフレームロケーションは、無線フレーム内の、アップリンク送信リソースを有し、第１のサブフレームに最も近く、フィードバック情報を送信することができるサブフレームである。
【０２３０】
任意選択で、通信デバイスはユーザ機器ＵＥであり、第２の通信デバイスは基地局であり、第１のサブフレームはタイプ１サブフレームである。受信機３１は、第１のサブフレーム内の第１の時間−周波数リソース上で第２の通信デバイスによって送られた第１のサービスを受信する前に、第２の通信デバイスによって送られた第２のインジケーション情報を受信するようにさらに構成される。第２のインジケーション情報は、第１のサブフレームが第１のサービスを含むことを通信デバイスに示すために、および物理ダウンリンク共有チャネルリソースの時間−周波数リソースの一部分上で第１のサービスを受信するように通信デバイスに指示するために使用される。フィードバックサブフレームロケーションは、第１のサブフレーム内の、フィードバック情報を送信するために使用される時間−周波数リソースのロケーションである。
【０２３１】
任意選択で、通信デバイスはユーザ機器ＵＥであり、第２の通信デバイスは基地局であり、第１のサブフレームはタイプ２サブフレームである。第１の時間−周波数リソースは、第１のサブフレーム内にありフィードバック情報を送信するために使用される時間−周波数リソースである。受信機３１は、第１のサブフレーム内の第１の時間−周波数リソース上で第２の通信デバイスによって送られた第１のサービスを受信する前に、第２の通信デバイスによって送られた第３のインジケーション情報を受信するようにさらに構成される。第３のインジケーション情報は、第１のサブフレームが第１のサービスを含むことを通信デバイスに示すために、および第１のサブフレーム内にありフィードバック情報を送信するために使用される時間−周波数リソース上で第１のサービスを受信するように通信デバイスに指示するために使用される。フィードバックサブフレームロケーションは、第１のサブフレーム内の、物理アップリンク共有チャネルリソースのロケーションである。
【０２３２】
任意選択で、通信デバイスは基地局であり、第２の通信デバイスはユーザ機器ＵＥである。第１の時間−周波数リソースは第１のサブフレーム内の物理アップリンク制御チャネルリソースであり、第２の時間−周波数リソースは第１のサブフレーム内の物理アップリンク共有チャネルリソースであり；または、第１の時間−周波数リソースは物理アップリンク共有チャネルリソースの一部分であり、第２の時間−周波数リソースは物理アップリンク共有チャネルリソースの残りの部分であり；または、第１の時間−周波数リソースは物理アップリンク制御チャネルリソースの一部分および物理アップリンク共有チャネルリソースの一部分であり、第２の時間−周波数リソースは物理アップリンク共有チャネルリソースの残りの部分である。
【０２３３】
送信機３２は、受信機３１が第１のサブフレーム内の第１の時間−周波数リソース上で第２の通信デバイスによって送られた第１のサービスを受信する前に、第４のインジケーション情報を第２の通信デバイスに送るようにさらに構成される。第４のインジケーション情報は、第１のサブフレーム内の第１の時間−周波数リソース上で第１のサービスを送るように第２の通信デバイスに指示するために使用される。フィードバックサブフレームロケーションは、ダウンリンク送信リソースを有し、第１のサブフレームに最も近く、フィードバック情報を送信することができるサブフレームである。
【０２３４】
任意選択で、通信デバイスは基地局であり、第２の通信デバイスはユーザ機器ＵＥであり、第１のサブフレームはタイプ１サブフレームである。送信機３２は、受信機３１が第１のサブフレーム内の第１の時間−周波数リソース上で第２の通信デバイスによって送られた第１のサービスを受信する前に、第５のインジケーション情報を第２の通信デバイスに送るようにさらに構成される。第５のインジケーション情報は、第１の時間−周波数リソースが、第１のサブフレーム内にありフィードバック情報を送信するために使用される時間−周波数リソースであることを第２の通信デバイスに示すために使用される。フィードバックサブフレームロケーションは、第１のサブフレームの次の次のサブフレームである。
【０２３５】
任意選択で、通信デバイスは基地局であり、第２の通信デバイスはユーザ機器ＵＥであり、第１のサブフレームはタイプ２サブフレームである。送信機３２は、受信機３１が第１のサブフレーム内の第１の時間−周波数リソース上で第２の通信デバイスによって送られた第１のサービスを受信する前に、第６のインジケーション情報を第２の通信デバイスに送るようにさらに構成される。第６のインジケーション情報は、第１の時間−周波数リソースが第１のサブフレーム内の物理アップリンク共有チャネルリソースの一部分であることを第２の通信デバイスに示すために使用される。フィードバックサブフレームロケーションは、第１のサブフレームの次の次のサブフレームである。
【０２３６】
任意選択で、通信デバイスは基地局であり、第２の通信デバイスはユーザ機器ＵＥであり、第１のサブフレームはタイプ２サブフレームである。送信機３２は、受信機３１が第１のサブフレーム内の第１の時間−周波数リソース上で第２の通信デバイスによって送られた第１のサービスを受信する前に、第７のインジケーション情報を第２の通信デバイスに第１のサブフレームの前のサブフレーム内で送るようにさらに構成される。第７のインジケーション情報は、第１の時間−周波数リソースが第１のサブフレーム内の物理アップリンク共有チャネルリソースの一部分であることを第２の通信デバイスに示すために使用される。フィードバックサブフレームロケーションは、第１のサブフレームの次のサブフレームである。
【０２３７】
本発明のこの実施形態において提供される通信デバイスは、前述の方法実施形態を行ってよい。実装原理およびその技術的影響は類似であり、詳細は、本明細書では再度説明されない。
【０２３８】
図３２は、本発明の第７の実施形態による通信デバイスの構造の概略図である。通信デバイスは、前述の方法実施形態における第２の通信デバイスであってよく、通信デバイスは、基地局またはＵＥであってよい。図３２に示されるように、通信デバイスは、送信機４１と、受信機４２とを含む。
【０２３９】
送信機４１は、第１のサービスを第１のサブフレーム内の第１の時間−周波数リソース上で第１の通信デバイスに送るように構成される。第１の時間−周波数リソースは、第１のサブフレーム内の物理制御チャネルリソース、第１のサブフレーム内の物理共有チャネルリソース、またはフィードバックリソースのうちの少なくとも１つを含む。
【０２４０】
受信機４２は、第１のサービスに対応しあらかじめ設定されたフィードバックサブフレームロケーションにおいて第１の通信デバイスによって送られる第１のフィードバック情報を受信するように構成される。第１のサブフレーム内の第１の時間−周波数リソースに対応するサブフレームロケーションとフィードバックサブフレームロケーションとの間の間隔が、第１のタイミングである。通信デバイスによって第２のサービスを送るために使用される第２の時間−周波数リソースに対応するサブフレームロケーションと第１の通信デバイスによって第２のフィードバック情報を通信デバイスに送るために使用される第３の時間−周波数リソースに対応するサブフレームロケーションとの間の間隔が、第２のタイミングである。第１のタイミングは、第２のタイミングよりも短い。
【０２４１】
さらに、第１のタイミングは、２つのサブフレームの長さよりも短い。物理制御チャネルリソースは、第１のサブフレーム内の物理ダウンリンク制御チャネルリソースと物理アップリンク制御チャネルリソースとを含む。物理共有チャネルリソースは、第１のサブフレーム内の物理ダウンリンク共有チャネルリソースと物理アップリンク共有チャネルリソースとを含む。フィードバックリソースは、第１のサブフレーム内にありフィードバック情報を送信するために使用される時間−周波数リソースを含む。
【０２４２】
図３３は、本発明の第８の実施形態による通信デバイスの構造の概略図である。図３２に示される実施形態に基づいて、通信デバイスは、
受信機４２が、第１のサービスに対応しあらかじめ設定されたフィードバックサブフレームロケーションにおいて第１の通信デバイスによって送られた第１のフィードバック情報を受信する前に、第１のサービスのタイプ、第１のサービスのサイズ、および第１のマッピング関係により、フィードバックサブフレームロケーションを決定するように構成されたプロセッサ４３であって、第１のマッピング関係は第１の時間−周波数リソースと第１のタイミングとの間の対応を含む、プロセッサ４３
をさらに含む。
【０２４３】
送信機４１は、フィードバックサブフレームロケーションを第１の通信デバイスに送り、フィードバックサブフレームロケーションにおいて第１のフィードバック情報を送るように第１の通信デバイスに指示するように構成される。
【０２４４】
任意選択で、第１の通信デバイスがユーザ機器ＵＥであり、通信デバイスは基地局である。第１の時間−周波数リソースは第１のサブフレーム内の物理ダウンリンク制御チャネルリソースであり、第２の時間−周波数リソースは第１のサブフレーム内の物理ダウンリンク共有チャネルリソースであり；または、第１の時間−周波数リソースは物理ダウンリンク共有チャネルリソースの一部分であり、第２の時間−周波数リソースは物理ダウンリンク共有チャネルリソースの残りの部分であり；または、第１の時間−周波数リソースは物理ダウンリンク制御チャネルリソースの一部分および物理ダウンリンク共有チャネルリソースの一部分であり、第２の時間−周波数リソースは物理ダウンリンク共有チャネルリソースの残りの部分である。
【０２４５】
送信機４１は、第１のサービスを第１のサブフレーム内の第１の時間−周波数リソース上で第１の通信デバイスに送る前に、第１のインジケーション情報を第１の通信デバイスに送るようにさらに構成される。第１のインジケーション情報は、第１のサブフレームが第１のサービスを含むことを第１の通信デバイスに示すために使用される。フィードバックサブフレームロケーションは、無線フレーム内の、アップリンク送信リソースを有し、第１のサブフレームに最も近く、フィードバック情報を送信することができるサブフレームである。
【０２４６】
任意選択で、第１の通信デバイスはユーザ機器ＵＥであり、通信デバイスは基地局であり、第１のサブフレームはタイプ１サブフレームである。送信機４１は、第１のサービスを第１のサブフレーム内の第１の時間−周波数リソース上で第１の通信デバイスに送る前に、第２のインジケーション情報を第１の通信デバイスに送るようにさらに構成される。第２のインジケーション情報は、第１のサブフレームが第１のサービスを含むことを第１の通信デバイスに示すために、および物理ダウンリンク共有チャネルリソースの一部分上で第１のサービスを受信するように第１の通信デバイスに指示するために使用される。フィードバックサブフレームロケーションは、第１のサブフレーム内の、フィードバック情報を送信するために使用される時間−周波数リソースのロケーションである。
【０２４７】
任意選択で、第１の通信デバイスはユーザ機器ＵＥであり、通信デバイスは基地局であり、第１のサブフレームはタイプ２サブフレームである。第１の時間−周波数リソースは、第１のサブフレーム内にありフィードバック情報を送信するために使用される時間−周波数リソースである。送信機４１は、第１のサービスを第１のサブフレーム内の第１の時間−周波数リソース上で第１の通信デバイスに送る前に、第３のインジケーション情報を第１の通信デバイスに送るようにさらに構成される。第３のインジケーション情報は、第１のサブフレームが第１のサービスを含むことを第１の通信デバイスに示すために、および第１のサブフレーム内にありフィードバック情報を送信するために使用される時間−周波数リソース上で第１のサービスを受信するように第１の通信デバイスに指示するために使用される。フィードバックサブフレームロケーションは、第１のサブフレーム内の、物理アップリンク共有チャネルリソースのロケーションである。
【０２４８】
任意選択で、第１の通信デバイスは基地局であり、通信デバイスはユーザ機器ＵＥである。第１の時間−周波数リソースは第１のサブフレーム内の物理アップリンク制御チャネルリソースであり、第２の時間−周波数リソースは第１のサブフレーム内の物理アップリンク共有チャネルリソースであり；または、第１の時間−周波数リソースは物理アップリンク共有チャネルリソースの一部分であり、第２の時間−周波数リソースは物理アップリンク共有チャネルリソースの残りの部分であり；または、第１の時間−周波数リソースは物理アップンク制御チャネルリソースの一部分および物理アップリンク共有チャネルリソースの一部分であり、第２の時間−周波数リソースは物理アップリンク共有チャネルリソースの残りの部分である。
【０２４９】
受信機４２は、送信機４１が、第１のサービスを第１のサブフレーム内の第１の時間−周波数リソース上で第１の通信デバイスに送る前に、第１の通信デバイスによって送られた第４のインジケーション情報を受信するようにさらに構成される。第４のインジケーション情報は、第１のサブフレーム内の第１の時間−周波数リソース上で第１のサービスを送るように通信デバイスに指示するために使用される。フィードバックサブフレームロケーションは、ダウンリンク送信リソースを有し、第１のサブフレームに最も近く、フィードバック情報を送信することができるサブフレームである。
【０２５０】
任意選択で、第１の通信デバイスは基地局であり、通信デバイスはユーザ機器ＵＥであり、第１のサブフレームはタイプ１サブフレームである。受信機４２は、送信機４１が、第１のサービスを第１のサブフレーム内の第１の時間−周波数リソース上で第１の通信デバイスに送る前に、第１の通信デバイスによって送られた第５のインジケーション情報を受信するようにさらに構成される。第５のインジケーション情報は、第１の時間−周波数リソースが、第１のサブフレーム内にありフィードバック情報を送信するために使用される時間−周波数リソースであることを通信デバイスに示すために使用される。フィードバックサブフレームロケーションは、第１のサブフレームの次の次のサブフレームである。
【０２５１】
任意選択で、第１の通信デバイスは基地局であり、通信デバイスはユーザ機器ＵＥであり、第１のサブフレームはタイプ２サブフレームである。受信機４２は、送信機４１が、第１のサービスを第１のサブフレーム内の第１の時間−周波数リソース上で第１の通信デバイスに送る前に、第１の通信デバイスによって送られた第６のインジケーション情報を受信するようにさらに構成される。第６のインジケーション情報は、第１の時間−周波数リソースが第１のサブフレーム内の物理アップリンク共有チャネルリソースの一部分であることを通信デバイスに示すために使用される。フィードバックサブフレームロケーションは、第１のサブフレームの次の次のサブフレームである。
【０２５２】
任意選択で、第１の通信デバイスは基地局であり、通信デバイスはユーザ機器ＵＥであり、第１のサブフレームはタイプ２サブフレームである。受信機４２は、送信機４１が、第１のサービスを第１のサブフレーム内の第１の時間−周波数リソース上で第１の通信デバイスに送る前に、第１の通信デバイスによって第１のサブフレームの前のサブフレーム内で送られた第７のインジケーション情報を受信するようにさらに構成される。第７のインジケーション情報は、第１の時間−周波数リソースが第１のサブフレーム内の物理アップリンク共有チャネルリソースの一部分であることを通信デバイスに示すために使用される。フィードバックサブフレームロケーションは、第１のサブフレームの次のサブフレームである。
【０２５３】
本発明のこの実施形態において提供される通信デバイスは、前述の方法実施形態を行ってよい。実装原理およびその技術的影響は類似であり、詳細は、本明細書では再度説明されない。
【０２５４】
最後に、前述の実施形態は、本発明の技術的解決策について説明することが意図されているにすぎず、本発明を限定することは意図されていないことが留意されるべきである。本発明は、前述の実施形態に関して詳細に説明されているが、当業者は、本発明の実施形態の技術的解決策の範囲から逸脱することなく、依然として前述の実施形態において説明された技術的解決策に対する変更を加えてもよく、そのいくつかのまたはすべての技術的特徴に対する等価な置き換えをなしてもよいことを理解すべきである。
【図１】
0006577671.tif 000002
【図２】
0006577671.tif 000003
【図３】
0006577671.tif 000004
【図４】
0006577671.tif 000005
【図５】
0006577671.tif 000006
【図６】
0006577671.tif 000007
【図７】
0006577671.tif 000008
【図８】
0006577671.tif 000009
【図９】
0006577671.tif 000010
【図１０】
0006577671.tif 000011
【図１１】
0006577671.tif 000012
【図１２】
0006577671.tif 000013
【図１３】
0006577671.tif 000014
【図１４】
0006577671.tif 000015
【図１５】
0006577671.tif 000016
【図１６】
0006577671.tif 000017
【図１７】
0006577671.tif 000018
【図１８】
0006577671.tif 000019
【図１９】
0006577671.tif 000020
【図２０】
0006577671.tif 000021
【図２１】
0006577671.tif 000022
【図２２】
0006577671.tif 000023
【図２３】
0006577671.tif 000024
【図２４】
0006577671.tif 000025
【図２５】
0006577671.tif 000026
【図２６】
0006577671.tif 000027
【図２７】
0006577671.tif 000028
【図２８】
0006577671.tif 000029
【図２９】
0006577671.tif 000030
【図３０】
0006577671.tif 000031
【図３１】
0006577671.tif 000032
【図３２】
0006577671.tif 000033
【図３３】
0006577671.tif 000034